(57)【要約】【課題】暗号化および復号の機能を内蔵した通信装置（サーバ）を用いることにより、誤送信による情報漏洩を抑制する通信装置、通信プログラム、通信方法を提供する。【解決手段】送信先情報と送信元情報の組合せが暗号化処理を示している場合、暗号化処理部に画像データを送信し、暗号化処理部により暗号化された画像データを取得し、送信先情報と送信元情報の組合せが復号処理を示している場合、復号処理部に暗号化された画像データを送信し、復号処理部により復号した画像データを取得する、通信装置である。【選択図】図３
2013098820.tif 000002
【特許請求の範囲】
【請求項１】
通信回線を用いて送信元の第１の端末または送信先の第２の端末との間で、送信元を識別する送信元情報と、送信先を識別する送信先情報と、画像データと、を有する画像情報を、送受信する通信装置であって、
受信した画像情報の送信先情報と送信元情報とを用いて、前記送信先情報と前記送信元情報の組み合わせと、前記画像データに対して行う暗号化処理または復号処理とが関連付けられている暗号化処理選択情報を参照し、受信した画像情報の画像データに対する処理を選択し、
前記暗号化処理が選択された場合は、暗号化処理部に前記画像データを送信し、前記暗号化処理部により暗号化された画像データを取得し、暗号化された画像データを用いて、前記第２の端末に送信する画像情報を生成し、
前記復号処理が選択された場合は、復号処理部に前記暗号化された画像データを送信し、前記復号処理部により復号した画像データを取得し、復号した画像データを用いて、前記第２の端末に送信する画像情報を生成する、選択部を備えることを特徴とする通信装置。
【請求項２】
前記暗号化処理選択情報に、前記送信先情報と前記送信元情報の組み合わせと、前記画像データに対して前記暗号化処理または前記復号処理をしないことを示す処理なしと、を関連付けて記憶し、
前記選択部は、前記処理なしが選択された場合は、前記暗号化された画像データと、前記送信元情報を通信装置を示す情報に変更した送信元情報と、前記送信先情報を送信先である第２の端末を示す情報に変更した送信先情報と、受信した画像データを用いて、前記第２の端末に送信する画像情報を生成する、
ことを特徴とする請求項１に記載の通信装置。
【請求項３】
前記選択部は、
前記暗号化処理が選択された場合は、暗号化された画像データと前記送信元情報と前記送信先情報とを用いて、前記第２の端末に送信する画像情報を生成し、
前記復号処理が選択された場合は、復号した画像データと、前記送信元情報を復号された画像であることを示す情報に変更した送信元情報と、前記送信先情報を送信先である第２の端末を示す情報に変更した送信先情報とを用いて、前記第２の端末に送信する画像情報を生成する、
ことを特徴とする請求項１または２記載の通信装置。
【請求項４】
前記選択部は、
前記送信元情報に登録済みの端末が示されている場合には前記暗号化処理を選択し、前記暗号化処理部に前記画像データを送信し、前記暗号化処理部により暗号化された画像データを取得し、暗号化された画像データと前記送信元情報と前記送信先情報とを用いて、前記第２の端末に送信する画像情報を生成し、
前記送信元情報に示される端末が登録済みで、前記送信先情報に通信装置が示されている場合は、復号処理を選択し、前記復号処理部に前記暗号化された画像データを送信し、前記復号処理部により復号された画像データを取得し、復号した画像データと、前記送信元情報を通信装置を示す情報に変更した送信元情報と、前記送信先情報を送信先である第２の端末を示す情報に変更した送信先情報とを用いて、前記第２の端末に送信する画像情報を生成し、
前記送信元情報に示される端末が未登録で、前記送信先情報に通信装置が示されている場合は、復号処理をしないことを選択し、前記暗号化された画像データと、前記送信元情報を通信装置を示す情報に変更した送信元情報と、前記送信先情報を送信先である第２の端末を示す情報に変更した送信先情報と、を用いて、前記第２の端末に送信する画像情報を生成する、
ことを特徴とする請求項１〜３のいずれか１つに記載の通信装置。
【請求項５】
前記選択部は、
前記送信元情報に登録済みの端末が示されている場合には前記暗号化処理を選択し、前記暗号化処理部に前記画像データとパスワードを送信し、前記暗号化処理部により前記パスワードを用いて暗号化された画像データを取得し、
前記送信元情報に示される端末が登録済みで、前記送信先情報に通信装置が示されている場合は、前記復号処理を選択し、前記復号処理部に前記暗号化された画像データと前記パスワードを送信し、前記復号処理部により前記パスワードを用いて復号した画像データを取得する、
ことを特徴とする請求項４に記載の通信装置。
【請求項６】
通信装置は、通信回線を用いて送信元の第１の端末から、送信元を識別する送信元情報と、送信先を識別する送信先情報と、画像データと、を有する画像情報を受信し、
前記受信した画像情報の送信先情報と送信元情報とを用いて、前記送信先情報と前記送信元情報の組み合わせと、前記画像データに対して行う暗号化処理または復号処理とが関連付けられている暗号化処理選択情報を参照し、受信した画像情報の画像データに対する処理を選択し、前記暗号化処理が選択された場合は、前記画像データを暗号化し、前記暗号化された画像データを有する画像情報を生成し、前記画像情報を前記第２の端末に送信し、
前記第２の端末は、前記暗号化された画像データと前記送信元情報と前記送信先情報とを有する画像情報を受信し、前記暗号化された画像データを復号する場合、受信した前記画像情報の前記送信元情報を前記第２の端末を示す情報に変更し、前記送信先情報を前記通信装置を示す情報に変更し、前記通信装置に送信し、
前記通信装置は、前記第２の端末から受信した前記画像情報の送信先情報と送信元情報とを用いて、前記暗号化処理選択情報を参照し、前記復号処理が選択された場合は、前記暗号化された画像データを前記復号し、前記復号した画像データを有する画像情報を生成し、前記第２の端末に送信し、
前記第２の端末は、前記通信装置から受信した前記画像情報の復号した前記画像データを文書として出力する、
ことを特徴とする通信方法。
【請求項７】
前記暗号化処理選択情報に、前記送信先情報と前記送信元情報の組み合わせと、前記画像データに対して前記暗号化処理または前記復号処理をしないことを示す処理なしと、を関連付けて記憶し、
前記処理なしが選択された場合は、前記暗号化された画像データと、前記送信元情報を通信装置を示す情報に変更した送信元情報と、前記送信先情報を送信先である第２の端末を示す情報に変更した送信先情報と、受信した画像データを用いて、前記第２の端末に送信する画像情報を生成する、
ことを特徴とする請求項６に記載の通信方法。
【請求項８】
暗号化処理が選択された場合は、暗号化された画像データと前記送信元情報と前記送信先情報とを用いて、前記第２の端末に送信する画像情報を生成し、
復号処理が選択された場合は、復号した画像データと、前記送信元情報を復号された画像であることを示す情報に変更した送信元情報と、前記送信先情報を送信先である第２の端末を示す情報に変更した送信先情報とを用いて、前記第２の端末に送信する画像情報を生成する、
ことを特徴とする請求項６または７の記載の通信方法。
【請求項９】
前記通信装置は、前記送信元情報に登録済みの端末が示されている場合、前記画像データを用いて暗号化処理を行い、暗号化された画像データを有する画像情報を送信先である第２の端末に送信し、
前記第２の端末は、前記暗号化された画像データと前記送信元情報と前記送信先情報とを有する画像情報を受信し、
前記第２の端末は、受信した前記画像情報の前記送信元情報が前記通信装置以外を示す情報である場合、受信した前記画像情報の前記送信元情報を前記第２の端末を示す情報に変更し、前記送信先情報を前記通信装置を示す情報に変更し、前記通信装置に送信し、
前記通信装置は、前記第２の端末から受信した前記画像情報の前記送信元情報に示される端末が登録済みで、前記送信先情報に通信装置が示されている場合は、復号処理を選択し、前記暗号化された画像データを復号し、
前記通信装置は、前記送信元情報を前記通信装置を示す情報に変更した前記送信元情報と、前記第２の端末を示す情報に変更した前記送信先情報と、復号した前記画像データと、を有する画像情報を、前記第２の端末に送信し、
前記第２の端末は、前記通信装置から受信した前記画像情報の前記送信元情報が前記通信装置を示す情報である場合、復号した前記画像データを文書として出力する、
ことを特徴とする請求項６〜８のいずれか１つに記載の通信方法。
【請求項１０】
前記通信装置は、前記送信元情報に登録済みの端末が示されている場合、前記画像データとパスワードを用いて暗号化処理を行い、暗号化された画像データを有する画像情報を送信先である第２の端末に送信し、
前記通信装置は、前記第２の端末から受信した前記画像情報の前記送信元情報に示される端末が登録済みで、前記送信先情報に通信装置が示されている場合は、復号処理を選択し、前記パスワードを用いて前記暗号化された画像データを復号し、
ことを特徴とする請求項９に記載の通信方法。
【請求項１１】
前記通信装置は、前記第２の端末から受信した前記画像情報の前記送信元情報に示される端末が未登録で、前記送信先情報に通信装置が示されている場合、復号処理をしないことを選択し、前記通信装置を示す情報に変更した前記送信元情報と、送信先である前記第２の端末を示す情報に変更した前記送信先情報と、前記暗号化された画像データと、を有する前記画像情報を、前記送受信部に出力する、
ことを特徴とする請求項９に記載の通信方法。
【請求項１２】
通信回線を用いて送信元の第１の端末または送信先の第２の端末との間で、送信元を識別する送信元情報と、送信先を識別する送信先情報と、画像データと、を有する画像情報を受信し、
受信した前記画像情報の送信先情報と送信元情報とを用いて、前記送信先情報と前記送信元情報の組み合わせと、前記画像データに対して行う暗号化処理または復号処理とが関連付けられている暗号化処理選択情報を参照し、受信した画像情報の画像データに対する処理を選択し、
前記暗号化処理が選択された場合は、前記画像データを暗号化し、前記暗号化された画像データを用いて前記第２の端末に送信する画像情報を生成し、
前記復号処理が選択された場合は、前記暗号化された画像データを復号し、前記復号した画像データを用いて、前記第２の端末に送信する画像情報を生成する、
処理をコンピュータに実行させる通信プログラム。
【発明の詳細な説明】
【技術分野】
【０００１】
本発明は、情報漏洩を抑止する通信装置、通信プログラム、通信方法に関する。
【背景技術】
【０００２】
特許文献１に開示されている画像暗号化技術を用いて、ＦＡＸの誤送信による情報漏洩を抑制する技術が知られている。この技術によれば、送信側では、暗号化機能を内蔵したＦＡＸ端末でＦＡＸ文書を暗号化して送信し、受信側では、暗号化機能を内蔵したＦＡＸ端末で暗号化されたＦＡＸ文書を受信し、復号して出力する。また、送信側では、文書をPersonal Computer（ＰＣ）に搭載されている暗号化ソフトにより暗号化してからＦＡＸ端末で送信し、受信側では、ＦＡＸ端末で受信した文書をＰＣに搭載されている暗号化ソフトにより復号する。このような操作を行うことにより、ＦＡＸ文書を間違った宛先に誤送信した場合、受信側ＦＡＸ端末側では復号するための情報がなく、ＦＡＸ文書を復号することができないため、ＦＡＸの誤送信による情報漏洩を抑制することができる。
【０００３】
関連する技術として、各端末に暗号化／復号の機能を実装することなく、かつ送信先にデータを復号するサーバが存在しない場合にも、異なるLocal Area Network（ＬＡＮ）内の端末間の暗号通信を可能とする暗号通信システムが特許文献２に開示されている。この暗号通信システムによれば、端末が、他の端末にデータを送信する際に、そのデータを簡易サーバに送信し、簡易サーバは、端末から受信したデータを暗号化してさらにリレーサーバに送信する。リレーサーバは、受信した暗号化データを復号して保持し、宛先となる他の端末が属するＬＡＮ内の簡易サーバに、保持したデータを暗号化して送信する。簡易サーバは、リレーサーバから受信した暗号化データを復号して宛先となる端末に送信する。
【０００４】
また、関連する技術として、クライアント端末が暗号化あるいは復号化する手段を有していなくても、送信側電子メールサーバと受信側電子メールサーバとの間で暗号化された電子メールを送受信できる不特定多数を対象とした電子メールシステムが特許文献３に開示されている。この電子メールシステムは、複数の電子メールクライアントと複数の暗号化機能付き電子メールサーバと複数の復号化機能付き電子メールサーバとネットワークとから構成される。そして、暗号化機能付き電子メールサーバが、復号化機能付き電子メールサーバが復号化できるような電子メールの暗号化方法を入手し、この入手した暗号化方法で電子メールを暗号化して復号化機能付き電子メールサーバへ送信する。また、受信した電子メールを復号化機能付き電子メールサーバは、復号化する。
【先行技術文献】
【特許文献】
【０００５】
【特許文献１】特許第４３４８３８１号公報
【特許文献２】特開２００１−３２０３５９号公報
【特許文献３】特開２００２−００９８１５号公報
【発明の概要】
【発明が解決しようとする課題】
【０００６】
本発明は、暗号化および復号の機能を内蔵した通信装置（サーバ）を用いることにより、暗号化ソフトで暗号化することなく、暗号化機能を内蔵していないＦＡＸで誤送信による情報漏洩を抑制する通信装置、通信プログラム、通信方法を提供することを目的とする。
【課題を解決するための手段】
【０００７】
本発明の態様のひとつである通信装置は、送受信部、選択部、暗号化処理部、復号処理部を備えている。
【０００８】
送受信部は、通信回線を用いて送信元の端末から、送信元を識別する送信元情報と、送信先を識別する送信先情報と、画像データと、を有する画像情報を受信し、画像情報を選択部に出力する。
【０００９】
選択部は、内部に保持している処理選択テーブルを参照し、ＦＡＸの送信元情報、送信先情報の組み合わせから受信したＦＡＸに対する処理を、暗号化処理、復号処理、処理なし、から選択する。
【００１０】
暗号化処理が選択された場合、選択部は、暗号化処理部に上記画像データを送信し、暗号化処理部により暗号化された画像データを取得する。続いて、暗号化された画像データと上記送信元情報と上記送信先情報を有する画像情報を送受信部に出力する。
【００１１】
復号処理が選択された場合、選択部は、復号処理部に前記暗号化された画像データを送信し、上記復号処理部により復号した画像データを取得する。続いて、復号した画像データと、上記送信元情報を通信装置を示す情報に変更した送信元情報と、上記送信先情報を送受信部から受信した送信元情報元を示す情報に変更した送信先情報を有する画像情報を送受信部に出力する。
【００１２】
処理なしが選択された場合、選択部は、上記画像データと、上記送信元情報を通信装置を示す情報に変更した送信元情報と、上記送信先情報を送受信部から受信した送信元情報を示す情報に変更した送信先情報を有する画像情報を送受信部に出力する。
送受信部は、処理選択部から受信した上記画像情報を、画像情報に含まれる送信先情報に記載されている送信先の端末に出力する。
【発明の効果】
【００１３】
実施の形態によれば、ＦＡＸの誤送信による情報漏洩を抑制することができるという効果を奏する。
【図面の簡単な説明】
【００１４】
【図１】実施形態１のシステムの一実施例を示す図である。
【図２】通信装置のハードウェアの一実施例を示す図である。
【図３】通信装置の制御部の一実施例を示す図である。
【図４】送受信部の動作の一実施例を示す図である。
【図５】画像情報、登録済端末情報、暗号化処理選択情報、端末処理選択情報のデータ構造の一実施例を示す図である。
【図６】選択部の動作の一実施例を示す図である。
【図７】端末のハードウェアの一実施例を示す図である。
【図８】端末の制御部の一実施例を示す図である。
【図９】端末の動作の一実施例を示す図である。
【図１０】通信装置（ＦＡＸサーバ）と複数の端末（ＦＡＸ端末）を備えたシステムの情報の流れを示す図である。
【図１１】パスワード選択情報のデータ構造の一実施例を示す図である。
【図１２】暗号化処理選択情報と端末処理選択情報のデータ構造の一実施例を示す図である。
【図１３】実施形態１および実施形態２の変形例１における端末の動作の一実施例を示す。
【図１４】実施形態１および実施形態２の変形例１のシステムの動作の一実施例を示す図である。
【図１５】送受信部の動作の一実施例を示す図である。
【図１６】選択部の動作の一実施例を示す図である。
【図１７】暗号化パスワード選択情報のデータ構造の一実施例を示す図である。
【図１８】実施形態３の端末の動作の一実施例を示す図である。
【図１９】復号パスワード選択情報のデータ構造の一実施例を示す図である。
【図２０】通信装置（ＦＡＸサーバ）と複数の端末（ＦＡＸ端末）を備えたシステムの情報の流れを示す図である。
【図２１】送受信部の動作の一実施例を示す図である。
【図２２】選択部の動作の一実施例を示す図である。
【図２３】実施形態４の端末の動作の一実施例を示す図である。
【図２４】通信装置（ＦＡＸサーバ）と複数の端末（ＦＡＸ端末）を備えたシステムの情報の流れを示す図である。
【発明を実施するための形態】
【００１５】
実施の形態の通信装置（例えば、サーバなど）を用いることにより、送信元端末が間違った送信先端末にＦＡＸを誤送信した場合でも、情報漏洩を抑制することができる。
【００１６】
また、従来のような暗号化されたＦＡＸ文書を用いて通信する場合には、送信側と受信側の両方の端末に暗号化機能を内蔵しなければならない。そのため、画像暗号化に対応したシステムに変更するには、すべての端末に暗号化機能を内蔵する必要があるため、変更のためのコストがかかることが想定される。また、端末ごとに暗号化ソフトを搭載したＰＣを端末各々で使用する必要があるため、画像暗号化に対応したシステムに変更するためのコストがかかることが想定される。
【００１７】
しかし、実施の形態の通信装置を用いることにより、端末各々を交換せずに画像暗号化に対応したシステムに変更することができるためコストを低減することができる。
【００１８】
以下図面に基づいて、本発明の実施形態について詳細を説明する。
実施形態１について説明する。
【００１９】
図１は、実施形態１のシステムの一実施例を示す図である。図１のシステムは、通信装置１と、利用者が用いる端末２などを備えている。通信装置１は、例えば、サーバなどでインターネットや専用回線などのネットワーク３を介して端末２と接続されている。端末２は通信装置１に接続され、ＦＡＸ文書などの情報を、通信装置１を介して送受信する。
【００２０】
なお、図１のシステムとして、例えば、送信元となる端末がＦＡＸ文書などの情報を暗号化して送信先となる端末に送信するシステムなどが考えられる。ただし、上記システムに限定されるものではない。
【００２１】
通信装置の説明をする。
図２は、通信装置のハードウェアの一実施例を示す図である。通信装置１は、制御部２０１、記憶部２０２、記録媒体読取装置２０３、入出力インタフェース２０４（入出力Ｉ／Ｆ）、通信インタフェース２０５（通信Ｉ／Ｆ）などを備えている。また、上記各構成部はバス２０６によってそれぞれ接続されている。
【００２２】
制御部２０１は、後述する送受信部３０１、選択部３０２、暗号化処理部３０３、復号処理部３０４などを有している。また、制御部２０１はCentral Processing Unit（ＣＰＵ）、マルチコアＣＰＵ、プログラマブルなデバイス（Field Programmable Gate Array（ＦＰＧＡ）、Programmable Logic Device（ＰＬＤ）など）を用いることが考えられる。
【００２３】
記憶部２０２は、制御部２０１が実行するプログラムや後述するテーブルなどの情報を記憶している。記憶部２０２は、例えばRead Only Memory（ＲＯＭ）、Random Access Memory（ＲＡＭ）などのメモリやハードディスクなどが考えられる。なお、記憶部２０２にはパラメータ値、変数値などのデータを記録してもよいし、実行時のワークエリアとして用いてもよい。なお、テーブルなどの情報などは、データベースに記録されていてもよい。
【００２４】
記録媒体読取装置２０３は、制御部２０１の制御に従って記録媒体２０７に対するデータのリード／ライトを制御する。そして、記録媒体２０７に記録媒体読取装置２０３の制御で書き込まれたデータを記録させたり、記録媒体２０７に記録されたデータを読み取らせたりする。また、着脱可能な記録媒体２０７は、コンピュータで読み取り可能なnon-transitory（非一時的）な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc（ＤＶＤ）、ＤＶＤ−ＲＡＭ、Compact Disc Read Only Memory（ＣＤ−ＲＯＭ）、ＣＤ−Ｒ(Recordable)／ＲＷ（ReWritable）などがある。光磁気記録媒体には、Magneto-Optical disk（ＭＯ）などがある。なお、記憶部２０２もnon-transitory（非一時的）な記録媒体に含まれる。
【００２５】
入出力インタフェース２０４には、入出力部２０８が接続され、利用者が入力した情報（例えば、プログラムや仕様などのデータ）を受信し、バス２０６を介して制御部２０１または記憶部２０２などに送信する。また、制御部２０１からの命令に従ってディスプレイの画面上に出力情報（プログラムのテスト結果やテストデータなど）や操作情報などを表示する。入出力部２０８の入力装置は、例えば、キーボード、ポインティングデバイス（マウスなど）、タッチパネルなどが考えられる。なお、入出力部２０８の出力部であるディスプレイは、例えば、液晶ディスプレイなどが考えられる。また、出力部はCathode Ray Tube（ＣＲＴ）ディスプレイ、プリンタなどの出力装置であってもよい。
【００２６】
通信インタフェース２０５は、Local Area Network（ＬＡＮ）接続やインターネット接続や無線接続を行うためのインタフェースである。また、通信インタフェース２０５は必要に応じ、他のコンピュータとの間のＬＡＮ接続やインターネット接続や無線接続を行うためのインタフェースである。通信インタフェース２０５は、電話回線などと接続を行うためのインタフェースであってもよい。
【００２７】
このようなハードウェア構成を有するコンピュータを用いることによって、後述する各種処理機能（例えば、後述する図４、６、１５、１６、２１、２２に示すフロー）が実現される。その場合システムが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体２０７に記録しておくことができる。
【００２８】
プログラムを流通させる場合には、例えば、そのプログラムが記録されたＤＶＤ、ＣＤ−ＲＯＭなどの記録媒体２０７が販売される。また、プログラムをサーバコンピュータの記憶装置に記録しておき、ネットワークを介して、サーバコンピュータから他のコンピュータにそのプログラムを転送することもできる。
【００２９】
プログラムを実行するコンピュータは、例えば、記録媒体２０７に記録されたプログラムもしくはサーバコンピュータから転送されたプログラムを、自己の記憶部２０２に記録する。そして、コンピュータは、自己の記憶部２０２からプログラムを読み取り、プログラムに従った処理を実行する。なお、コンピュータは、記録媒体２０７から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００３０】
図３は、通信装置の制御部の一実施例を示す図である。
制御部２０１は、送受信部３０１、選択部３０２、暗号化処理部３０３、復号処理部３０４を備えている。
【００３１】
送受信部３０１は、送信元の端末２から画像データなどを含む画像情報を受信し、受信した画像情報を選択部３０２に送信する。また、送受信部３０１は選択部３０２から画像データなどを含む画像情報を受信し、受信した画像情報を送信先の端末２に送信する。画像情報は、送信元を示す情報と、送信先を示す情報と、画像データと、通信に必要な情報などを有している。送信元の端末２を示す情報（送信元情報）は、端末２を識別する情報または通信装置１を示す情報である。送信先の端末２を示す情報（送信先情報）は、端末２を識別する情報または通信装置１を示す情報である。画像データは、送信元の端末２で生成した画像データ、または、暗号化処理部で生成された暗号化された画像データ、または、復号処理部で生成された復号された画像データである。
【００３２】
選択部３０２は送受信部３０１から画像情報を受信する。続いて、選択部３０２は受信した画像情報の送信元情報と送信先情報とが未登録の端末２であるか否かを、記憶部２０２に記憶されている後述する登録済端末情報を参照し、判定する。送信元情報または送信先情報の端末２が登録済みである場合、送信元情報または送信先情報の端末２に登録済みであることを示す登録情報を関連付け、記憶部２０２に記憶する。
【００３３】
次に、選択部３０２は記憶部２０２に記憶されている後述する暗号化処理選択情報を参照し、受信した送信元情報または送信先情報の内容と登録情報により、受信した画像データに対する処理を選択する。画像データの処理は、暗号化処理、復号処理、処理なし（暗号化処理も復号処理も行わない）の３つの処理から選択する。
【００３４】
選択部３０２は、暗号化処理が選択された場合、送受信部３０１から取得した画像情報の画像データとパスワードを暗号化処理部３０３へ出力し、暗号化処理部３０３で暗号化された画像データを送受信部３０１へ出力する。選択部３０２は、暗号化および復号で用いるパスワードを管理している。本例では、パスワードは登録済の端末２に共通で、１種類のパスワードだけ所持しており、どの画像データに対しても同一のパスワードを使用する。なお、パスワードは暗号化と復号で用いる情報で、例えば、暗号鍵などである。
【００３５】
復号処理が選択された場合、選択部３０２は、送受信部３０１から取得した暗号化された画像データを復号処理部３０４に出力し、復号処理部３０４から入力された復号された画像データとパスワードを送受信部３０１に出力する。また、復号処理が選択された場合は、送受信部３０１から取得した送信先情報を、受信時の送信元情報に変更し、送信元情報を通信装置１を示す情報に変更し、送受信部３０１に出力する。
【００３６】
また、暗号化処理と処理なしが選択された場合、選択部３０２は送受信部３０１から取得した送信元情報と送信先情報を変更せずに送受信部３０１に出力する。
【００３７】
暗号化処理部３０３は画像データの暗号化処理を行い、復号処理部３０４は暗号化された画像データの復号処理を行う。暗号化処理と復号処理は、例えば、特許第４３４８３８１号公報などに開示されている技術を用いることが考えられる。ただし、上記技術に限定されるものではなく、暗号化と復号ができればよい。
【００３８】
送受信部の動作について説明する。
図４は、送受信部の動作の一実施例を示す図である。ステップＳ４０１では、送受信部３０１が送信元となる端末２（送信側の端末（第１の端末２）または受信側の端末（第２の端末２）から画像情報を受信し、画像情報に含まれる送信元情報、送信先情報、画像データを選択部３０２に出力する。
【００３９】
画像情報について説明する。図５は、画像情報、登録済端末情報、暗号化処理選択情報、端末処理選択情報のデータ構造の一実施例を示す図である。図５の画像情報５１は、「送信元情報」「送信先情報」「画像データ」などの情報を有している。「送信元情報」は、本例では第１の端末２のＦＡＸ番号を示す情報「ＦＡＸ番号１」を有している。「送信先情報」は、本例では第２の端末２のＦＡＸ番号を示す情報「ＦＡＸ番号２」を有している。「画像データ」は、本例では画像データを示す「ｉｍａｇｅ１」を有している。
【００４０】
ステップＳ４０２では、送受信部３０１が選択部３０２から送信元情報、送信先情報、画像データを受信する。送受信部３０１は、ステップＳ４０１で選択部３０２に出力した応答として送信元情報、送信先情報、画像データを受信する。画像データは、暗号化処理部３０３により暗号化された画像データである場合と、復号処理部３０４により復号された画像データである場合と、復号されない画像データである場合がある。
【００４１】
ステップＳ４０３では、送受信部３０１が送信元を選択部３０２から受信した送信元情報の送信元とし、送信先を選択部３０２から受信した送信先情報の送信先とする。そして、送受信部３０１は、上記送信元情報、上記送信先情報、画像データを含む画像情報を、該送信先情報に示す送信先の端末２（受信側の第２の端末２）に送信する。送信元情報は、送信側の第１の端末２を示す情報または通信装置１を示す情報である。
【００４２】
選択部の動作について説明する。
図６は、選択部の動作の一実施例を示す図である。ステップＳ６０１では、選択部３０２が送受信部３０１から送信元情報、送信先情報、画像データを取得する。例えば、送信元となる端末２（送信側の端末（第１の端末２）または受信側の端末（第２の端末２）から送信元情報、送信先情報、画像データを取得する。
【００４３】
ステップＳ６０２では、選択部３０２が第１の端末２から受信した画像情報の送信元情報または送信先情報を用い、登録済端末情報を参照し、送信元情報または送信先情報に示されている端末２が登録済みの端末２であるかを判定する。また、選択部３０２は画像情報の送信元情報と送信先情報と画像データを記憶部２０２に記憶する。記憶した情報は、第２の端末２から画像データが出力されたことの確認、または第１の端末２と第２の端末２の通信が終了したことの確認などを、通信装置１が検出した際に記憶部２０２から上記記憶した送信元情報と送信先情報と画像データを削除する。
【００４４】
図５の登録済端末情報５２は、「登録済端末情報」として複数の端末のＦＡＸ番号を示す情報「ＦＡＸ番号１」「ＦＡＸ番号２」「ＦＡＸ番号３」「ＦＡＸ番号４」「ＦＡＸ番号５」・・・が記憶されている。本例では、第１の端末２に対応する「ＦＡＸ番号１」と第２の端末２に対応する「ＦＡＸ番号２」が登録されている。
【００４５】
ステップＳ６０３では、選択部３０２が暗号化処理選択情報を参照し、第１の端末２または第２の端末２から受信した画像情報に含まれる画像データに対する処理を選択する。
【００４６】
暗号化処理選択情報５３は、「送信元情報」「送信先情報」「処理」などの情報を記憶している。「送信元情報」「送信先情報」には、「処理」に記憶されている各処理を選択するための情報が記憶されている。「処理」には、画像データに対して暗号化処理、復号処理、処理をしないことを示す情報が記憶されている。
【００４７】
図５では、「送信元情報」に、端末が登録されていることを示す「登録済端末」と、端末が未登録であることを示す「未登録端末」と、登録または未登録の端末であることを示す「全ての端末」が記憶されている。「送信先情報」には、画像情報の送信先が通信装置であることを示す「通信装置」と、画像情報の送信先が通信装置以外であることを示す「通信装置以外」と、複数の端末２に一斉に送信するための送信先が複数あることを示す「同報１」「同報２」が記憶されている。
【００４８】
ステップＳ６０３で選択部３０２は、送信元情報が「登録済端末」で、送信先情報が「通信装置」である場合、復号処理を行うことが選択されステップＳ６０６に移行する。送信元情報が「未登録端末」で、送信先情報が「通信装置」である場合、処理をしないことが選択されステップＳ６０９に移行する。送信元情報が「全ての端末」で、送信先情報が「通信装置以外」である場合、暗号化処理を行うことが選択されステップＳ６０４に移行する。送信元情報が「全ての端末」で、送信先情報が「同報１」または「同報２」である場合、暗号化処理を行うことが選択されステップＳ６０４に移行する。
【００４９】
ステップＳ６０４では、選択部３０２が画像データとパスワードを暗号化処理部３０３に出力する。
【００５０】
ステップＳ６０５では、選択部３０２が暗号化処理部３０３で暗号化された画像データを取得し、現在の画像データを暗号化された画像データに変更し、送信元情報と送信先情報と暗号化された画像データを送受信部３０１に出力する。
【００５１】
ステップＳ６０６では、選択部３０２が暗号化された画像データとパスワードを復号処理部３０４に出力する。
【００５２】
ステップＳ６０７では、選択部３０２が復号処理部３０４で復号された画像データを取得し、現在の暗号化された画像データを復号された画像データに変更する。
【００５３】
ステップＳ６０８では、選択部３０２が現在の送信元情報を通信装置１を示す情報に変更し、現在の送信先情報を現在の送信元情報を示す情報（第２の端末２を示す情報）に変更し、復号された画像データとともに送受信部３０１に出力する。
【００５４】
ステップＳ６０９では、選択部３０２が現在の送信元情報を通信装置１を示す情報に変更し、現在の送信先情報を現在の送信元情報を示す情報（第２の端末２を示す情報）に変更し、現在の暗号化された画像データとともに送受信部３０１に出力する。
【００５５】
端末の説明をする。
図７は、端末のハードウェアの一実施例を示す図である。端末２は、制御部７０１、記憶部７０２、記録媒体読取装置７０３、入出力インタフェース７０４（入出力Ｉ／Ｆ）、通信インタフェース７０５（通信Ｉ／Ｆ）などを備えている。また、上記各構成部はバス７０６によってそれぞれ接続されている。
【００５６】
制御部７０１は、後述する転送部８０１、情報送受信部８０２、入出力部８０３などを有している。また、制御部７０１はCentral Processing Unit（ＣＰＵ）、マルチコアＣＰＵ、プログラマブルなデバイス（Field Programmable Gate Array（ＦＰＧＡ）、Programmable Logic Device（ＰＬＤ）など）を用いることが考えられる。
【００５７】
記憶部７０２は、制御部７０１が実行するプログラムや後述するテーブルなどの情報を記憶している。記憶部７０２は、例えばRead Only Memory（ＲＯＭ）、Random Access Memory（ＲＡＭ）などのメモリやハードディスクなどが考えられる。なお、記憶部７０２にはパラメータ値、変数値などのデータを記録してもよいし、実行時のワークエリアとして用いてもよい。
【００５８】
記録媒体読取装置７０３は、制御部７０１の制御に従って記録媒体７０７に対するデータのリード／ライトを制御する。そして、記録媒体７０７に記録媒体読取装置７０３の制御で書き込まれたデータを記録させたり、記録媒体７０７に記録されたデータを読み取らせたりする。また、着脱可能な記録媒体７０７は、コンピュータで読み取り可能なnon-transitory（非一時的）な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc（ＤＶＤ）、ＤＶＤ−ＲＡＭ、Compact Disc Read Only Memory（ＣＤ−ＲＯＭ）、ＣＤ−Ｒ(Recordable)／ＲＷ（ReWritable）などがある。光磁気記録媒体には、Magneto-Optical disk（ＭＯ）などがある。なお、記憶部７０２もnon-transitory（非一時的）な記録媒体に含まれる。
【００５９】
入出力インタフェース７０４には、入出力部７０８（８０３）が接続され、入力された情報を、バス７０６を介して制御部７０１または記憶部７０２などに送信する。また、制御部７０１からの命令に従ってディスプレイの画面上に出力情報や操作情報などを表示する。入出力部７０８の入力装置は、例えば、スキャナなどの画像読み取り装置が考えられる。また、キーボード、ポインティングデバイス（マウスなど）、タッチパネルなどが考えられる。
【００６０】
なお、入出力部７０８の出力部であるディスプレイは、例えば、液晶ディスプレイなどが考えられる。
【００６１】
また、出力部はCathode Ray Tube（ＣＲＴ）ディスプレイ、プリンタなどの出力装置であってもよい。
【００６２】
通信インタフェース７０５は、Local Area Network（ＬＡＮ）接続やインターネット接続や無線接続を行うためのインタフェースである。また、通信インタフェース７０５は必要に応じ、他のコンピュータとの間のＬＡＮ接続やインターネット接続や無線接続を行うためのインタフェースである。また、他の装置に接続され、外部装置からのデータの入出力を制御する。
【００６３】
このようなハードウェア構成を有するコンピュータを用いることによって、後述する各種処理機能（例えば、図９、１３、１８、２３に示すフロー）が実現される。その場合システムが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体７０７に記録しておくことができる。
【００６４】
図８は、端末の制御部の一実施例を示す図である。
情報送受信部８０２は、通信装置１から送信された画像情報を受信して転送部８０１に出力する。また、情報送受信部８０２は画像情報を通信装置１へ送信する。送信する画像情報の送信元情報は自身の端末を示す情報に変更され、送信先情報は通信装置１を示す情報に設定される。
【００６５】
転送部８０１は、情報送受信部８０２から受信した画像情報の送信元情報を用いて、後述する端末動作設定情報を参照し、処理を選択する。送信元情報が登録済み端末２を示す情報である場合の処理は、画像情報を通信装置１に送信する処理を選択する。送信元情報が通信装置１を示す情報である場合の処理は、受信した画像情報の画像データを入出力部８０３に送信する処理を選択する。
【００６６】
入出力部８０３は、情報送受信部８０２から画像情報の復号された画像データまたは画像情報の暗号化された画像データを受信し、復号または暗号化された画像データを、出力に出力する。
【００６７】
端末の動作について説明をする。
図９は、端末が画像情報を受信した場合の動作の一実施例を示す図である。ステップＳ９０１では、第２の端末２の情報送受信部８０２が通信装置１から送信された画像情報を受信する。続いて、情報送受信部８０２は受信した画像情報の送信元情報を第２の端末２の転送部８０１に送信する。
【００６８】
ステップＳ９０２では、第２の端末２の転送部８０１が送信元情報を用いて、端末処理選択情報を参照し、処理を選択する。例えば、送信元情報に通信装置１を示す情報が示されている場合、画像データを入出力部８０３へ送信する処理が選択されステップＳ９０３（Ｙｅｓ）に移行する。送信元情報に通信装置１を示す情報以外が示されている場合、画像データを通信装置１へ転送する処理が選択されステップＳ９０４（Ｎｏ）に移行する。
【００６９】
図５の端末処理選択情報５４は、「送信元情報」「処理」などの情報を記憶している。「送信元情報」には、通信装置１から受信した画像情報に含まれる送信元情報の内容が、登録済みまたは未登録の送信元の端末２であることを示す情報か、通信装置１であることを示す情報かを判定する情報が記憶されている。本例では、「送信元情報」には、画像情報に含まれる送信元情報が登録された端末２である場合に選択される情報「登録済端末」と、未登録の端末２である場合に選択される情報「未登録端末」と、通信装置１である場合に選択される情報「通信装置」が記憶されている。
【００７０】
「処理」には、「送信元情報」各々に関連付けられた処理が記憶されている。本例では、「登録済端末」または「未登録端末」であると判定した場合に選択される処理を示す「通信装置に転送」が記憶されている。また、「通信装置」であると判定した場合に選択される処理を示す「画像データ出力」が記憶されている。
【００７１】
なお、端末２の記憶部７０２には通信装置１を識別する情報が記憶されている。例えば、通信装置１を識別する情報は記憶部７０２に記憶されている。そして、この通信装置１を識別する情報を用いて、ステップＳ９０２における処理の選択を行う。
【００７２】
ステップＳ９０３では、第２の端末２の転送部８０１が画像情報の画像データを入出力部８０３から出力する処理が選択されている場合には、画像情報の画像データを情報送受信部８０２を介して入出力部８０３へ送信する。または、画像データを、情報送受信部８０２を介さずに入出力部８０３へ直接出力する。
【００７３】
ステップＳ９０４では、第２の端末２の転送部８０１が画像情報を通信装置１に転送する処理が選択されている場合には、画像情報の送信元情報を第２の端末２を示す情報に設定し、送信先情報を通信装置１に設定し、該画像情報を情報送受信部８０２に送信する。
【００７４】
通信装置と端末の動作について説明をする。
図１０は、通信装置（ＦＡＸサーバ）と複数の端末（ＦＡＸ端末）を備えたシステムの情報の流れを示す図である。図１０の説明において、通信装置１はＦＡＸサーバを示し、端末２はＦＡＸ機能を有する端末を示している。なお、図１０において端末２は便宜上２つだけを示し、画像データ（ＦＡＸ文書）を送信する側の端末を第１の端末と呼び、画像データを受信する側の端末を第２の端末と呼ぶこととする。
【００７５】
図１０において第１の端末２が登録され、第２の端末２も登録の場合について説明する。
【００７６】
ステップＴ１では、第１の端末２の入出力部８０３を用いて入力された文書を、画像データ（ＦＡＸ文書）に変換し、情報送受信部８０２から画像データを含む画像情報を、通信装置１へ送信する。その際、通信装置１への画像情報の送信はネットワークを用いてもよいし、電話回線を用いてもよい。ネットワークを用いる場合、端末２各々は通信装置１のInternet Protocol（ＩＰ）アドレスなどを記憶している。電話回線を用いる場合、端末２各々は通信装置１に接続される電話番号またはＦＡＸ番号などを記憶している。そして、上記ＩＰアドレス、電話番号、ＦＡＸ番号などを用いて、端末２は通信装置１に画像情報を送信する。
【００７７】
送信される画像情報の送信元情報には第１の端末２を示す情報が設定され、送信先情報には第２の端末２を示す情報が設定されている。図１０の（１）を参照。なお、画像データは暗号化されていない。
【００７８】
ステップＴ２では、第１の端末２から送信された画像情報は、通信装置１の送受信部３０１で受信され、画像情報の送信元情報、送信先情報、画像データが選択部３０２に出力される。図１０の（２）を参照。
【００７９】
ステップＴ３では、選択部３０２が第１の端末２から受信した画像情報の送信元情報と送信先情報を用い、暗号化処理選択情報を参照し、第１の端末２から受信した画像情報の画像データに対する処理を選択する。図１０の場合には、画像データに対する処理として画像データの暗号化処理が選択され、選択部３０２は暗号化処理部３０３に画像データとパスワードを出力する。図１０の（３）を参照。
【００８０】
なお、選択部３０２は画像情報の送信元情報と送信先情報と画像データを記憶部２０２に記憶する。そして、第２の端末２から画像データが出力されたことの確認、または第１の端末２と第２の端末２の通信が終了したことの確認などを、通信装置１が検出した際に記憶部２０２から上記記憶した送信元情報と送信先情報と画像データを削除する。ステップＴ１３を参照。本例における第１の端末２と第２の端末２はそれぞれ登録済みであるので、暗号化処理選択情報５３の「全ての端末」「通信装置以外」の組み合わせが選択され、暗号化処理を行うことが選択される。その後、選択部３０２は暗号化処理部３０３に画像データとパスワードを送信する。本例では、第１の端末２と第２の端末２に割り振る暗号化および復号に用いるパスワードは同一としている。パスワードは記憶部２０２に記憶されている。図１０の（３）を参照。
【００８１】
ステップＴ４では、暗号化処理部３０３が画像データとパスワードを受信し、パスワードを用いて画像データ（非暗号化）を暗号化された画像データに変換し、暗号化処理部３０３は暗号化された画像データを選択部３０２に送信する。図１０の（４）を参照。ただし、登録済み端末２各々で用いるパスワードが共通の場合には、暗号化処理部３０３がパスワードを有していてもよい。
【００８２】
ステップＴ５では、選択部３０２が暗号化された画像データ、送信元情報、送信先情報を有する画像情報を送受信部３０１に出力する。このとき、出力される画像情報の送信元情報は第１の端末２を示す情報、送信先情報は第２の端末２を示す情報に、選択部３０２により設定されている。図１０の（５）を参照。
【００８３】
ステップＴ６では、送受信部３０１が選択部３０２から取得した画像情報を第２の端末２に送信する。図１０の（６）を参照。
【００８４】
ステップＴ７では、第２の端末２の情報送受信部８０２が通信装置１から送信された画像情報を受信する。情報送受信部８０２は、受信した画像情報の送信元情報を第２の端末２の転送部８０１に送信する。図１０の（７）を参照。
【００８５】
ステップＴ８では、第２の端末２の転送部８０１が送信元情報を用いて、端末処理選択情報を参照し、処理を選択する。例えば、送信元情報に通信装置１を示す情報が記憶されている場合、画像データを入出力部８０３へ送信する処理を選択する。図１０の（８）を参照。第２の端末２の転送部８０１は、「通信装置に転送」に対応する処理と「画像データ出力」に対応する処理のうち選択された処理を行う。「通信装置に転送」に対応する処理が選択されている場合には画像情報の送信元情報を第２の端末２を示す情報に設定し、送信先情報を通信装置１に設定し、該画像情報を情報送受信部８０２に送信する。また、「画像データ出力」に対応する処理が選択されている場合には画像情報の画像データを、情報送受信部８０２を介して入出力部８０３へ送信する。または、画像データを、情報送受信部８０２を介さずに入出力部８０３へ送信する。
【００８６】
ステップＴ９では、「通信装置に転送」に対応する処理が選択されている場合、第２の端末２の情報送受信部８０２は、転送部８０１から受信した画像情報を通信装置１に送信する。図１０の（９）を参照。
【００８７】
ステップＴ１０では、通信装置１の送受信部３０１が第２の端末２の情報送受信部８０２から受信した画像情報を受信する。そして、画像情報の送信元情報、送信先情報、画像データを選択部３０２に送信する。図１０の（１０）を参照。
【００８８】
ステップＴ１１では、通信装置１の選択部３０２が暗号化処理選択情報を参照し、処理を選択する。本例では、送信元情報に登録済みの第２の端末２を示す情報と、送信先情報に通信装置１を示す情報が記憶されているので、暗号化処理選択情報５３を参照し、画像データに対する処理として復号処理が選択される。その結果、暗号化されている画像データとパスワードを復号処理部３０４に出力される。図１０の（１１）を参照。なお、登録済み端末２各々で共通のパスワードを用いる場合には、復号処理部３０４がパスワードを予め記憶していてもよい。
【００８９】
ステップＴ１２では、復号処理部３０４が暗号化されている画像データに対して復号処理を行い、復号した画像データを選択部３０２に出力する。図１０の（１２）を参照。
【００９０】
ステップＴ１３では、選択部３０２が送受信部３０１から取得した画像情報の現在の送信先情報をステップＴ３において記憶した画像情報受信時の送信元情報（第２の端末２を示す情報）に変更し、送信元情報を通信装置１であることを示す情報に変更する。続いて、選択部３０２は、復号された画像データと更新された送信元情報と送信先情報を送受信部３０１に出力する。図１０の（１３）を参照。
【００９１】
ステップＴ１４では、送受信部３０１が上記復号された画像データと更新された送信元情報と送信先情報を有する画像情報を第２の端末２に送信する。図１０の（１４）を参照。
【００９２】
ステップＴ１４の処理をした後、上記説明したステップＴ７の処理に移行する。
ステップＴ１４後のステップＴ７では、第２の端末２の情報送受信部８０２が通信装置１から送信された画像情報を受信する。情報送受信部８０２は、受信した画像情報の送信元情報を第２の端末２の転送部８０１に送信する。図１０の（７）を参照。
【００９３】
ステップＴ１４後のステップＴ８では、第２の端末２の転送部８０１が送信元情報を用いて、端末処理選択情報を参照し、処理を選択する。図１０の（８）を参照。本例では、「画像データ出力」に対応する処理が選択されるので、画像情報の復号された画像データを、情報送受信部８０２を介して入出力部８０３へ送信する。または、画像データを、情報送受信部８０２を介さずに入出力部８０３へ送信する。その後、ステップＴ１５に移行する。
【００９４】
ステップＴ１５では、第２の端末２の入出力部８０３が復号された画像データを受信し、文書として出力する。図１０の（１５）を参照。
【００９５】
図１０において第１の端末２が登録され、第２の端末２が未登録の場合について説明する。
【００９６】
第１の端末２が登録され、第２の端末２が未登録の場合、上記ステップＴ１〜ステップＴ１０までの処理を行う。ただし、第２の端末２の転送部８０１には通信装置１へ画像情報（図１０の（９）を参照）を転送できるものとする。
【００９７】
次に、上記第１の端末２が登録され、第２の端末２が未登録の場合のステップＴ１１では、通信装置１の選択部３０２が暗号化処理選択情報を参照し、処理を選択する。本例では、送信元情報に未登録の第２の端末２を示す情報と、送信先情報に通信装置１を示す情報が記憶されているので、暗号化処理選択情報５３を参照し、画像データに対する処理として処理なしが選択される。その結果、暗号化されている画像データは復号処理部３０４により復号されないので、暗号化された画像のままになる。すなわち、第１の端末２が登録され、第２の端末２が未登録の場合、ステップＴ１２の処理を行われない。
【００９８】
第１の端末２が登録され、第２の端末２が未登録の場合のステップＴ１３では、選択部３０２が送受信部３０１から取得した画像情報の現在の送信先情報をステップＴ３において記憶した画像情報受信時の送信元情報（第２の端末２を示す情報）に変更する。また、送信元情報を通信装置１であることを示す情報に変更する。続いて、選択部３０２は、暗号化されたままの画像データと更新された送信元情報と送信先情報を送受信部３０１に出力する。図１０の（１３）を参照。
【００９９】
第１の端末２が登録され、第２の端末２が未登録の場合のステップＴ１４では、送受信部３０１が上記暗号化されたままの画像データと更新された送信元情報と送信先情報を有する画像情報を第２の端末２に送信する。図１０の（１４）を参照。
【０１００】
ステップＴ１４の処理をした後、上記説明したステップＴ７の処理に移行する。
ステップＴ１４後のステップＴ７では、第２の端末２の情報送受信部８０２が通信装置１から送信された画像情報を受信する。情報送受信部８０２は、受信した画像情報の送信元情報を第２の端末２の転送部８０１に送信する。図１０の（７）を参照。
【０１０１】
ステップＴ１４後のステップＴ８では、第２の端末２の転送部８０１が送信元情報を用いて、端末処理選択情報を参照し、処理を選択する。図１０の（８）を参照。本例では、「画像データ出力」に対応する処理が選択されるので、画像情報の暗号化されたままの画像データを、情報送受信部８０２を介して入出力部８０３へ送信する。または、画像データを、情報送受信部８０２を介さずに入出力部８０３へ送信する。その後、ステップＴ１５に移行する。
【０１０２】
ステップＴ１５では、第２の端末２の入出力部８０３が暗号化されたままの画像データを受信し、文書として出力する。図１０の（１５）を参照。
【０１０３】
ただし、第２の端末２に通信装置１への画像情報を転送する処理が設定されてない、または、第２の端末２に該機能を有さない場合、第２の端末２は画像データを含む画像情報を一度通信装置１に転送する処理をしない。その場合、第２の端末２は通信装置１に画像情報を転送しないで入出力部８０３から暗号化された画像データを文書として出力する。
【０１０４】
図１０において第１の端末２が未登録で、第２の端末２が登録されている場合について説明する。
【０１０５】
第１の端末２が未登録で、第２の端末２が登録されている場合、上記ステップＴ１〜ステップＴ１５で説明した処理を行う。すなわち、第２の端末２が登録済みの端末の場合、復号された文書が、第２の端末２から出力される。ただし、第２の端末２の転送部８０１は、通信装置１へ画像情報（図１０の（９）を参照）を転送できるものとする。
【０１０６】
図１０において第１の端末２が未登録で、第２の端末２が未登録である場合について説明する。
【０１０７】
第１の端末２が未登録で、第２の端末２も未登録の場合、上記ステップＴ１〜ステップＴ１５で説明した処理を行う。すなわち、第２の端末２が未登録の端末の場合、暗号化された文書が、第２の端末２から出力される。ただし、第２の端末２の転送部８０１は、通信装置１へ画像情報（図１０の（９）を参照）を転送できるものとする。
【０１０８】
ただし、第２の端末２に通信装置１への画像情報を転送する処理が設定されてない、または、第２の端末２に該機能を有さない場合、第２の端末２は画像データを含む画像情報を一度通信装置１に転送する処理をしない。その場合、第２の端末２は通信装置１に画像情報を転送しないで入出力部８０３から暗号化された画像データを文書として出力する。
【０１０９】
実施形態１によれば、登録済の第２の端末２で受信した場合は、暗号化された画像データが復号されて出力され、一方未登録の第２の端末２で受信した場合は、暗号化された画像データが出力される。
【０１１０】
また、通信装置１に暗号化を行う機能を備えることにより、通常の端末２（例えば、暗号化を行う機能を備えないＦＡＸ端末）で、画像データの誤送信（送信先を間違えて送信）した場合でも情報漏洩を抑制することができる。
【０１１１】
実施形態２について説明する。
実施形態２では、通信装置１が受信した画像データに対する処理を選択する暗号化処理選択情報と、受信側の第２の端末２ごとに異なる暗号化および復号に用いるパスワードを管理する。また、実施形態１と実施形態２の違いは、通信装置１が画像情報に含まれる送信元情報と送信先情報を用いて、端末２の受信側端末各々に関連付けられたパスワードを記憶する後述するパスワード選択情報を参照し、パスワードを選択する点である。
【０１１２】
実施形態２の暗号化と復号について説明する。
実施形態２の選択部３０２は、送受信部３０１から画像情報を受信する。続いて、選択部３０２は受信した画像情報の送信元情報と送信先情報とが未登録の端末２であるか否かを、記録部２０２に記憶されている登録済端末情報を参照し、判定する。送信元情報または送信先情報の端末２が登録済みである場合、送信元情報または送信先情報の端末２に登録済みであることを示す登録情報を関連付け、記憶部２０２に記憶する。
【０１１３】
次に、選択部３０２は記憶部２０２に記憶されている後述する暗号化処理選択情報を参照し、受信した送信元情報または送信先情報の内容と登録情報により、受信した画像データに対する処理を選択する。画像データの処理は、暗号化処理、復号処理、処理なし（暗号化処理も復号処理も行わない）の３つの処理から選択する。
【０１１４】
選択部３０２は、暗号化処理が選択された場合、送受信部３０１から取得した画像情報の送信先情報の第２の端末２を示す情報を用いて、パスワード選択情報を参照し、パスワードを選択する。続いて、選択したパスワードと画像データを暗号化処理部３０３へ出力する。そして、暗号化処理部３０３は、選択したパスワードを用いて、暗号化された画像データを送受信部３０１へ出力する。
【０１１５】
なお、実施形態２の場合、図６に示したステップＳ６０４で上記パスワードの選択も行う。
【０１１６】
実施形態２におけるパスワードの選択方法について説明する。
図１１は、パスワード選択情報のデータ構造の一実施例を示す図である。図１１のパスワード選択情報１１１は「暗号化時の送信先情報」「パスワード」に記憶する情報を有する。「暗号化時の送信先情報」には、登録済み端末２に対応した識別番号が記憶されている。本例では、識別番号として「ＦＡＸ番号１」「ＦＡＸ番号２」「ＦＡＸ番号３」「ＦＡＸ番号４」「ＦＡＸ番号５」・・・・が記憶されている。「パスワード」には、識別番号に関連付けられたパスワードが記憶されている。本例では、パスワードとして「ｐａｓｓ１」「ｐａｓｓ２」「ｐａｓｓ３」「ｐａｓｓ４」「ｐａｓｓ５」・・・・が記憶されている。例えば、画像情報の送信先情報の第２の端末２を示す情報が「ＦＡＸ番号２」の場合、パスワード「ｐａｓｓ２」が選択される。
【０１１７】
復号処理が選択された場合、選択部３０２は送受信部３０１から取得した画像情報の送信元情報の第２の端末２を示す情報を用いて、パスワード選択情報を参照し、パスワードを選択する。続いて、選択したパスワードと画像データを復号処理部３０４に出力する。そして、復号処理部３０４は、選択したパスワードを用いて、暗号化された画像データを復号して送受信部３０１へ出力する。また、復号処理が選択された場合は、送受信部３０１から取得した送信先情報を、受信時の送信元情報に変更し、送信元情報を通信装置１を示す情報に変更し、送受信部３０１に出力する。
【０１１８】
なお、実施形態２の場合、図６に示したステップＳ６０６で上記パスワードの選択も行う。
【０１１９】
また、処理なしが選択された場合、選択部３０２は送受信部３０１から取得した送信元情報と送信先情報を変更せずに送受信部３０１に出力する。
【０１２０】
実施形態２によれば、登録済の第２の端末２で受信した場合は、暗号化された画像データが復号されて出力され、一方未登録の第２の端末２で受信した場合は、暗号化された画像データが出力される。
【０１２１】
また、通信装置１に暗号化を行う機能を備えることにより、通常の端末２（例えば、暗号化を行う機能を備えないＦＡＸ端末）で、画像データの誤送信（送信先を間違えて送信）した場合でも情報漏洩を抑制することができる。
【０１２２】
実施形態１および実施形態２の変形例１について説明する。
実施形態１および実施形態２の場合では、登録済み端末２と未登録の端末２の両方から送信される画像情報の画像データは全て暗号化されてしまう。しかし、未登録の端末２同士で暗号化を行わない通常の通信も行えるようにしたいという要望も想定されるため、通信装置１が有する暗号化処理選択情報を図１２のようにし、端末２の転送部８０１を図１３に示すフロー図に従って実行する。
【０１２３】
図１２は、暗号化処理選択情報と端末処理選択情報のデータ構造の一実施例を示す図である。
【０１２４】
図１２の暗号化処理選択情報１２１は、「送信元情報」「送信先情報」「処理」などの情報を記憶している。「送信元情報」「送信先情報」には、「処理」に記憶されている各処理を選択するための情報が記憶されている。「処理」には、画像データに対して暗号化処理、復号処理、処理をしないことを示す情報が記憶されている。
【０１２５】
図１２では、「送信元情報」に、端末が登録されていることを示す「登録済端末」と、端末が未登録であることを示す「未登録端末」と、登録または未登録であることを示す「全ての端末」が記憶されている。「送信先情報」には、画像情報の送信先が通信装置であることを示す「通信装置」と、画像情報の送信先が通信装置以外であることを示す「通信装置以外」と、複数の端末２に一斉に送信するための送信先が複数あることを示す「同報１」「同報２」が記憶されている。
【０１２６】
図６に示すフロー図のステップＳ６０３において、画像情報に含まれる送信元情報と送信先情報とを用いて、登録済端末情報５２と暗号化処理選択情報１２１を参照して判定する。送信元の端末２が登録済みで、送信先が通信装置１以外であるか、または送信元の端末２が登録済みで、送信先の端末２が同報１、２である場合に、暗号化処理を行う。
【０１２７】
また、送信元の端末２が登録済みで、送信先が通信装置１である場合に、復号処理を行う。
【０１２８】
また、送信元の端末２が未登録で、送信先が通信装置１または通信装置１以外または同報１、２である場合に、処理を行わない。
【０１２９】
図１３は、実施形態１および実施形態２の変形例１における端末の動作の一実施例を示す。
【０１３０】
端末の動作について説明をする。
ステップＳ１３１では、第２の端末２の情報送受信部８０２が通信装置１から送信された画像情報を受信する。続いて、情報送受信部８０２は受信した画像情報の送信元情報を第２の端末２の転送部８０１に送信する。
【０１３１】
ステップＳ１３２では、第２の端末２の転送部８０１が送信元情報を用いて、端末処理選択情報１２２を参照し、処理を選択する。端末処理選択情報１２２は、「送信元情報」「処理」などの情報を記憶している。「送信元情報」には、通信装置１から受信した画像情報に含まれる送信先情報の内容が、登録済みまたは未登録の送信元の端末２であることを示す情報か、通信装置１であることを示す情報かを判定する情報が記憶されている。本例では、「送信元情報」には、画像情報に含まれる送信先情報が登録された端末２である場合に選択される情報「登録済端末」と、未登録の端末２である場合に選択される情報「未登録端末」と、通信装置１である場合に選択される情報「通信装置」が記憶されている。
【０１３２】
「処理」には、「送信元情報」各々に関連付けられた処理が記憶されている。本例では、送信元情報に示されている端末２が「登録済端末」であると判定した場合に選択される処理を示す「通信装置に転送」が記憶されている。また、「未登録端末」または「通信装置」であると判定した場合に選択される処理を示す「画像データ出力」が記憶されている。
【０１３３】
なお、本実施形態において端末２の記憶部７０２には通信装置１と登録済みの端末２を識別する情報が記憶されている。例えば、通信装置１を識別する情報と図５の登録済端末情報５２を記憶部７０２に記憶する。そして、処理の選択において送信元情報が示している情報が登録済みの端末２であると判定された場合、ステップＳ１３３（Ｙｅｓ）に移行し、通信装置１と未登録端末２である場合、ステップＳ１３４（Ｎｏ）に移行する。
【０１３４】
なお、端末２が登録済みか未登録であるかを判定する場合に、図５の登録済端末情報５２を用いずに、通信装置１から登録済みであることを示す情報を画像情報に付加して第２の端末２に送信してもよい。
【０１３５】
ステップＳ１３３では、第２の端末２の転送部８０１が画像情報を通信装置１に転送する処理が選択されている場合には、画像情報の送信元情報を第２の端末２を示す情報に設定し、送信先情報を通信装置１に設定し、該画像情報を情報送受信部８０２に送信する。
【０１３６】
ステップＳ１３４では、第２の端末２の転送部８０１が画像情報の画像データを入出力８０３から出力する処理が選択されている場合には、画像情報の画像データを情報送受信部８０２を介して入出力部８０３へ送信する。または、画像データを、情報送受信部８０２を介さずに入出力部８０３へ直接出力する。
【０１３７】
実施形態１および実施形態２の変形例１のシステムの動作について説明する。
第１の端末２が登録済みで、第２の端末２も登録済みの場合は、図１０を用いて説明したように、ステップＴ１〜Ｔ１５の処理を行い複合された画像データが出力される。第１の端末２が登録済み、第２の端末２も登録済みの場合は、送信側の第１の端末２が画像データを通信装置１に送信する。通信装置１では画像データに対して暗号化処理を実施する。通信装置１が受信側の第２の端末２へ画像情報を送信する。受信側の第２の端末２から画像情報を通信装置１へ送信する。通信装置１で画像データに対して復号処理を実施する。通信装置１が受信側の第２の端末２へ画像情報を送信する。受信側の第２の端末２で復号した画像データを出力する。
【０１３８】
第１の端末２が登録済みで、第２の端末２が未登録である場合について説明する。
図１４は、実施形態１および実施形態２の変形例１のシステムの動作の一実施例を示す図である。ステップＴ１４１では、第１の端末２の入出力部８０３を用いて入力された文書を、画像データ（ＦＡＸ文書）に変換し、情報送受信部８０２から画像データを含む画像情報を、通信装置１へ送信する。図１４の（１）を参照。
【０１３９】
ステップＴ１４２では、第１の端末２から送信された画像情報は、通信装置１の送受信部３０１で受信され、画像情報の送信元情報、送信先情報、画像データが選択部３０２に出力される。図１４の（２）を参照。
【０１４０】
ステップＴ１４３では、選択部３０２が第１の端末２から受信した画像情報の送信元情報と送信先情報を用い、暗号化処理選択情報１２１を参照し、第１の端末２から受信した画像情報の画像データに対する処理を選択する。図１４の場合には、画像データに対する処理として画像データを暗号化処理が選択され、選択部３０２は暗号化処理部３０３に画像データとパスワードを出力する。図１４の（３）を参照。
【０１４１】
なお、選択部３０２は画像情報の送信元情報と送信先情報と画像データを記憶部２０２に記憶する。そして、第２の端末２から画像データが出力されたことの確認、または第１の端末２と第２の端末２の通信が終了したことの確認などを、通信装置１が検出した際に記憶部２０２から上記記憶した送信元情報と送信先情報と画像データを削除する。
【０１４２】
ステップＴ１４４では、暗号化処理部３０３が画像データとパスワードを受信し、パスワードを用いて画像データ（非暗号化）を暗号化された画像データに変換し、暗号化処理部３０３は暗号化された画像データを選択部３０２に送信する。図１４の（４）を参照。ただし、登録済み端末２各々で用いるパスワードが共通の場合には、暗号化処理部３０３がパスワードを有していてもよい。
【０１４３】
ステップＴ１４５では、選択部３０２が暗号化された画像データ、送信元情報、送信先情報を有する画像情報を送受信部３０１に出力する。このとき、出力される画像情報の送信元情報は第１の端末２を示す情報、送信先情報は第２の端末２を示す情報に、選択部３０２により設定されている。図１４の（５）を参照。
【０１４４】
ステップＴ１４６では、送受信部３０１が選択部３０２から取得した画像情報を第２の端末２に送信する。図１４の（６）を参照。
【０１４５】
ステップＴ１４７では、未登録の第２の端末２が暗号化された画像データを出力する。
第１の端末２が未登録で、第２の端末２が登録済みで、未登録の端末２で暗号化を行わない通常の通信も行える場合には、送信側の第１の端末２が画像データを通信装置１に送信する。通信装置１では画像データに対して処理をしない。通信装置１から受信側の第２の端末２から画像情報を送信する。 受信側の第２の端末２は画像データを出力する。
【０１４６】
第１の端末２が未登録で、第２の端末２も未登録で、未登録の端末２で暗号化を行わない通常の通信も行える場合には、送信側の第１の端末２が画像データを通信装置１に送信する。通信装置１では画像データに対して処理をしない。通信装置１から受信側の第２の端末２から画像情報を送信する。 受信側の第２の端末２は画像データを出力する。
【０１４７】
上記実施形態によれば、重要な情報（秘密情報など）を扱う場合には、登録済み端末２を用いて通信を行い、重要性の低い情報（非秘密情報など）を扱う場合には、未登録の端末２を用いて通信を行うようにしている。その結果、未登録の端末２からは通常の通信が可能で、登録済みの端末２から送信される画像情報（ＦＡＸ文書など）は全て暗号化されるため、登録済みの端末２から送信される画像データの情報漏洩を抑制することが可能となる。
【０１４８】
実施形態３について説明する。
実施形態３では、通信装置１は受信した画像情報の画像データに対する処理を選択する暗号化処理選択情報と、送信元と送信先の端末２の組み合わせごとにパスワードが異なる、暗号化パスワード選択情報を有している。また、端末２では、受信する画像情報の送信元ごとに異なる、復号パスワード選択情報を有している。
【０１４９】
実施形態１、２との違いは、通信装置１における暗号化処理と復号処理に用いるパスワードが、送信元情報と送信先情報の組み合わせごとに異なり、端末２に復号パスワード選択情報を有している。
【０１５０】
実施形態３の送受信部の動作について説明する。
図１５は、送受信部の動作の一実施例を示す図である。ステップＳ１５１では、送受信部３０１が送信元となる端末２（送信側の端末（第１の端末２）または受信側の端末（第２の端末２）から画像情報を受信し、画像情報に含まれる送信元情報、送信先情報、画像データを実施形態３の選択部３０２に出力する。また、送受信部３０１は送信先が通信装置１の画像情報の場合は、画像情報に添付されてきたパスワードも選択部３０２に出力する。
【０１５１】
ステップＳ１５２では、送受信部３０１が選択部３０２から送信元情報、送信先情報、画像データを受信する。送受信部３０１は、ステップＳ１５１で選択部３０２に出力した応答として送信元情報、送信先情報、画像データを受信する。画像データは、暗号化処理部３０３により暗号化された画像データである場合と、復号処理部３０４により復号された画像データである場合と、復号されない画像データである場合がある。
【０１５２】
ステップＳ１５３では、送受信部３０１が選択部３０２から受信した送信元情報、送信先情報、画像データを含む画像情報を、該送信先情報に示す送信先の端末２（受信側の第２の端末２）に送信する。送信元情報は、送信側の第１の端末２を示す情報または通信装置１を示す情報である。
【０１５３】
実施形態３の選択部の動作について説明する。
図１６は、選択部の動作の一実施例を示す図である。ステップＳ１６１では、選択部３０２が送受信部３０１から送信元情報、送信先情報、画像データを取得する。例えば、送信元となる端末２（送信側の端末（第１の端末２）または受信側の端末（第２の端末２）から送信元情報、送信先情報、画像データを取得する。
【０１５４】
ステップＳ１６２では、選択部３０２が第１の端末２から受信した画像情報の送信元情報または送信先情報を用い、登録済端末情報を参照し、送信元情報または送信先情報に示されている端末２が登録済みの端末２であるかを判定する。また、選択部３０２は画像情報の送信元情報と送信先情報と画像データを記憶部２０２に記憶する。記憶した情報は、第２の端末２から画像データが出力されたことの確認、または第１の端末２と第２の端末２の通信が終了したことの確認などを、通信装置１が検出した際に記憶部２０２から上記記憶した送信元情報と送信先情報と画像データを削除する。
【０１５５】
ステップＳ１６３では、選択部３０２が暗号化処理選択情報を参照し、第１の端末２または第２の端末２から受信した画像情報に含まれる画像データに対する処理を選択する。送信元情報が「登録済端末」で、送信先情報が「通信装置」である場合、復号処理を行うことが選択されステップＳ１６７に移行する。送信元情報が「未登録端末」で、送信先情報が「通信装置」である場合、処理をしないことが選択されステップＳ１７０に移行する。送信元情報が「全ての端末」で、送信先情報が「通信装置以外」である場合、暗号化処理を行うことが選択されステップＳ１６４に移行する。送信元情報が「全ての端末」で、送信先情報が「同報１」または「同報２」である場合、暗号化処理を行うことが選択されステップＳ１６４に移行する。
【０１５６】
ステップＳ１６４では、選択部３０２が暗号化パスワード選択情報を参照し、送受信部３０１から入力された画像情報の送信先情報と送信元情報を用いて、暗号化処理に使用するパスワードを選択する。図１７は、暗号化パスワード選択情報のデータ構造の一実施例を示す図である。暗号化パスワード選択情報１７１は、「送信元情報」「送信先情報」「暗号化パスワード」に記憶する情報を有している。「送信元情報」には、送信元の端末２を識別する情報が記憶され、例えば、「ＦＡＸ番号１」・・・「ＦＡＸ番号２」・・・などが記憶されている。「送信先情報」には、送信先の端末２を識別する情報が「送信元情報」に関連付けられて記憶され、例えば、「ＦＡＸ番号２」「ＦＡＸ番号３」「ＦＡＸ番号４」「ＦＡＸ番号１」「ＦＡＸ番号３」・・・・などが記憶されている。「暗号化パスワード」には、「送信元情報」「送信先情報」に記憶されている端末を示す情報の組み合わせごとに異なるパスワードが記憶されている。本例では、端末を示す情報の組み合わせに関連付けられた暗号化パスワード「ｐａｓｓ１」「ｐａｓｓ２」「ｐａｓｓ３」「ｐａｓｓ４」「ｐａｓｓ５」・・・・が記憶されている。
【０１５７】
また、ステップＳ１６４で選択部３０２は、受信した画像情報の送信元情報の第１の端末２を示す情報と、送信先情報の第２の端末２を示す情報との組み合わせから暗号化処理に使用するパスワードを選択する。
【０１５８】
ステップＳ１６５では、選択部３０２が選択されたパスワードと受信した画像情報の画像データとを暗号化処理部３０３に出力する。
【０１５９】
ステップＳ１６６では、選択部３０２が暗号化処理部３０３で暗号化された画像データを取得し、現在の画像データを暗号化された画像データに変更し、送信元情報と送信先情報と暗号化された画像データを送受信部３０１に出力する。
【０１６０】
ステップＳ１６７では、選択部３０２が第２の端末２から送信される画像情報を受信して、画像情報の暗号化された画像データとパスワードを復号処理部３０４に出力する。
【０１６１】
ステップＳ１６８では、選択部３０２が復号処理部３０４で復号された画像データを取得し、現在の暗号化された画像データを復号された画像データに変更する。
【０１６２】
ステップＳ１６９では、選択部３０２が現在の送信元情報を通信装置１を示す情報に変更し、現在の送信先情報を現在の送信元情報を示す情報（第２の端末２を示す情報）に変更し、復号された画像データとともに送受信部３０１に出力する。
【０１６３】
ステップＳ１７０では、選択部３０２が現在の送信元情報を通信装置１を示す情報に変更し、現在の送信先情報を現在の送信元情報を示す情報（第２の端末２を示す情報）に変更し、現在の暗号化された画像データとともに送受信部３０１に出力する。
【０１６４】
端末の動作について説明をする。
図１８は、実施形態３の端末の動作の一実施例を示す図である。ステップＳ１８１では、実施形態３の第２の端末２の情報送受信部８０２が通信装置１から送信された画像情報を受信する。続いて、情報送受信部８０２は受信した画像情報の送信元情報を第２の端末２の転送部８０１に送信する。
【０１６５】
ステップＳ１８２では、第２の端末２の転送部８０１が送信元情報を用いて、端末処理選択情報を参照し、処理を選択する。例えば、送信元情報に通信装置１を示す情報が示されている場合、画像データを入出力部８０３へ送信する処理が選択されステップＳ１８３（Ｙｅｓ）に移行する。送信元情報に通信装置１を示す情報以外が示されている場合、画像データを通信装置１へ転送する処理が選択されステップＳ１８４（Ｎｏ）に移行する。
【０１６６】
ステップＳ１８３では、第２の端末２の転送部８０１が画像情報の画像データを入出力部８０３から出力する処理が選択されている場合には、画像情報の画像データを情報送受信部８０２を介して入出力部８０３へ送信する。または、画像データを、情報送受信部８０２を介さずに入出力部８０３へ直接出力する。
【０１６７】
ステップＳ１８４では、第２の端末２の転送部８０１が復号パスワード選択情報を参照し、受信した画像情報の送信元情報から、通信装置１に送信するパスワードを選択する。
【０１６８】
図１９は、復号パスワード選択情報のデータ構造の一実施例を示す図である。復号パスワード選択情報１７１は、「通信装置に転送する端末を示す情報」「画像情報の送信元の端末を示す情報」「復号パスワード」に記憶する情報を有している。「通信装置に転送する端末を示す情報」には、通信装置１に転送する第２の端末２を識別する情報が記憶され、例えば、「ＦＡＸ番号２」「ＦＡＸ番号３」「ＦＡＸ番号４」「ＦＡＸ番号１」「ＦＡＸ番号３」・・・・などが記憶されている。「画像情報の送信元の端末を示す情報」には、画像情報の送信元の端末２を識別する情報が「送信元情報」に関連付けられて記憶され、例えば、「ＦＡＸ番号１」・・・「ＦＡＸ番号２」・・・などが記憶されている。「復号パスワード」には、「通信装置に転送する端末を示す情報」「画像情報の送信元の端末を示す情報」に記憶されている端末を示す情報の組み合わせごとに異なるパスワードが記憶されている。本例では、端末を示す情報の組み合わせに関連付けられた暗号化パスワード「ｐａｓｓ１」「ｐａｓｓ２」「ｐａｓｓ３」「ｐａｓｓ４」「ｐａｓｓ５」・・・・が記憶されている。
【０１６９】
続いて、ステップＳ１８４で第２の端末２の転送部８０１は、受信した画像情報の画像データと選択したパスワードとを通信装置１に転送する。
【０１７０】
通信装置と端末の動作について説明をする。
図２０は、通信装置（ＦＡＸサーバ）と複数の端末（ＦＡＸ端末）を備えたシステムの情報の流れを示す図である。
【０１７１】
図２０において第１の端末２が登録され、第２の端末２も登録の場合について説明する。
【０１７２】
ステップＴ２０１では、第１の端末２の入出力部８０３を用いて入力された文書を、画像データ（ＦＡＸ文書）に変換し、情報送受信部８０２から画像データを含む画像情報を、通信装置１へ送信する。その際、通信装置１への画像情報の送信はネットワークを用いてもよいし、電話回線を用いてもよい。ネットワークを用いる場合、端末２各々は通信装置１のＩＰアドレスなどを記憶している。電話回線を用いる場合、端末２各々は通信装置１に接続される電話番号またはＦＡＸ番号などを記憶している。そして、上記ＩＰアドレス、電話番号、ＦＡＸ番号などを用いて、端末２は通信装置１に画像情報を送信する。
【０１７３】
送信される画像情報の送信元情報には第１の端末２を示す情報が設定され、送信先情報には第２の端末２を示す情報が設定されている。図２０の（１）を参照。なお、画像データは暗号化されていない。
【０１７４】
ステップＴ２０２では、第１の端末２から送信された画像情報は、通信装置１の送受信部３０１で受信され、画像情報の送信元情報、送信先情報、画像データが選択部３０２に出力される。図２０の（２）を参照。
【０１７５】
ステップＴ２０３では、選択部３０２が第１の端末２から受信した画像情報の送信元情報と送信先情報を用い、暗号化処理選択情報５３を参照し、第１の端末２から受信した画像情報の画像データに対する処理を選択する。また、選択部３０２が暗号化パスワード選択情報１７１を参照し、送受信部３０１から入力された画像情報の送信先情報と送信元情報を用いて、暗号化処理に使用する暗号化パスワードを選択する。図２０の場合には、画像データに対する処理として画像データを暗号化処理が選択され、選択部３０２は暗号化処理部３０３に画像データと選択した暗号化パスワードを出力する。図２０の（３）を参照。
【０１７６】
なお、選択部３０２は画像情報の送信元情報と送信先情報と画像データを記憶部２０２に記憶する。そして、第２の端末２から画像データが出力されたことの確認、または第１の端末２と第２の端末２の通信が終了したことの確認などを、通信装置１が検出した際に記憶部２０２から上記記憶した送信元情報と送信先情報と画像データを削除する。ステップＴ２１３を参照。
【０１７７】
ステップＴ２０４では、暗号化処理部３０３が画像データとパスワードを受信し、パスワードを用いて画像データ（非暗号化）を暗号化された画像データに変換し、暗号化処理部３０３は暗号化された画像データを選択部３０２に送信する。図２０の（４）を参照。
【０１７８】
ステップＴ２０５では、選択部３０２が暗号化された画像データ、送信元情報、送信先情報を有する画像情報を送受信部３０１に出力する。このとき、出力される画像情報の送信元情報は第１の端末２を示す情報、送信先情報は第２の端末２を示す情報に、選択部３０２により設定されている。図２０の（５）を参照。
【０１７９】
ステップＴ２０６では、送受信部３０１が選択部３０２から取得した画像情報を第２の端末２に送信する。図２０の（６）を参照。
【０１８０】
ステップＴ２０７では、第２の端末２の情報送受信部８０２が通信装置１から送信された画像情報を受信する。情報送受信部８０２は、受信した画像情報の送信元情報を第２の端末２の転送部８０１に送信する。図２０の（７）を参照。
【０１８１】
ステップＴ２０８では、第２の端末２の転送部８０１が送信元情報を用いて、端末処理選択情報を参照し、処理を選択する。例えば、送信元情報に通信装置１を示す情報が記憶されている場合、画像データを入出力部８０３へ送信する処理を選択する。第２の端末２の転送部８０１は、「通信装置に転送」に対応する処理と「画像データ出力」に対応する処理のうち選択された処理を行う。「通信装置に転送」に対応する処理が選択されている場合には画像情報の送信元情報を第２の端末２を示す情報に設定し、送信先情報を通信装置１に設定し、該画像情報を情報送受信部８０２に送信する。また、第２の端末２の転送部８０１は、復号パスワード選択情報を参照して、受信した画像情報の送信元情報と第２の端末２の組み合わせからパスワードを選択し、転送する画像データに添付する。なお、パスワードの添付は通常のＦＡＸ端末の転送設定に設定することにより、通常のＦＡＸ端末でも可能である。また、「画像データ出力」に対応する処理が選択されている場合には、画像データを、情報送受信部８０２を介さずに入出力部８０３へ送信する。図２０の（８）を参照。
【０１８２】
ステップＴ２０９では、「通信装置に転送」に対応する処理が選択されている場合、第２の端末２の情報送受信部８０２は、転送部８０１から受信した画像情報を通信装置１に送信する。図２０の（９）を参照。
【０１８３】
ステップＴ２１０では、通信装置１の送受信部３０１が第２の端末２の情報送受信部８０２から受信した画像情報を受信する。そして、画像情報の送信元情報、送信先情報、画像データを選択部３０２に送信する。図２０の（１０）を参照。
【０１８４】
ステップＴ２１１では、通信装置１の選択部３０２が暗号化処理選択情報を参照し、処理を選択する。本例では、送信元情報に登録済みの第２の端末２を示す情報と、送信先情報に通信装置１を示す情報が記憶されているので、暗号化処理選択情報５３を参照し、画像データに対する処理として復号処理が選択される。復号時の復号パスワードは、画像データに添付されてきた復号パスワードを使用する。その結果、暗号化されている画像データと復号パスワードを復号処理部３０４に出力される。図２０の（１１）を参照。
【０１８５】
ステップＴ２１２では、復号処理部３０４が暗号化されている画像データに対して復号処理を行い、復号した画像データを選択部３０２に出力する。図２０の（１２）を参照。
【０１８６】
ステップＴ２１３では、選択部３０２が送受信部３０１から取得した画像情報の現在の送信先情報をステップＴ２０３において記憶した画像情報受信時の送信元情報（第２の端末２を示す情報）に変更し、送信元情報を通信装置１であることを示す情報に変更する。続いて、選択部３０２は、復号された画像データと更新された送信元情報と送信先情報を送受信部３０１に出力する。図２０の（１３）を参照。
【０１８７】
ステップＴ２１４では、送受信部３０１が上記復号された画像データと更新された送信元情報と送信先情報を有する画像情報を第２の端末２に送信する。図２０の（１４）を参照。
【０１８８】
ステップＴ２１４の処理をした後、上記説明したステップＴ２０７の処理に移行する。
ステップＴ２１４後のステップＴ２０７では、第２の端末２の情報送受信部８０２が通信装置１から送信された画像情報を受信する。情報送受信部８０２は、受信した画像情報の送信元情報を第２の端末２の転送部８０１に送信する。図２０の（７）を参照。
【０１８９】
ステップＴ２１４後のステップＴ２０８では、第２の端末２の転送部８０１が送信元情報を用いて、端末処理選択情報５４を参照し、処理を選択する。図２０の（８）を参照。本例では、「画像データ出力」に対応する処理が選択されるので、画像情報の復号された画像データを、情報送受信部８０２を介して入出力部８０３へ送信する。または、画像データを、情報送受信部８０２を介さずに入出力部８０３へ送信する。その後、ステップＴ２１５に移行する。
【０１９０】
ステップＴ２１５では、第２の端末２の入出力部８０３が復号された画像データを受信し、文書として出力する。図２０の（１５）を参照。
【０１９１】
図２０において第１の端末２が登録され、第２の端末２が未登録の場合について説明する。
【０１９２】
第１の端末２が登録され、第２の端末２が未登録の場合、上記ステップＴ２０１〜ステップＴ２１０までの処理を行う。ただし、第２の端末２の転送部８０１には通信装置１へ画像情報（図２０の（９）を参照）を転送できるものとする。
【０１９３】
次に、上記第１の端末２が登録され、第２の端末２が未登録の場合のステップＴ２１１では、通信装置１の選択部３０２が暗号化処理選択情報を参照し、処理を選択する。本例では、送信元情報に未登録の第２の端末２を示す情報と、送信先情報に通信装置１を示す情報が記憶されているので、暗号化処理選択情報５３を参照し、画像データに対する処理として処理なしが選択される。その結果、暗号化されている画像データは復号処理部３０４により復号されないので、暗号化された画像のままになる。すなわち、第１の端末２が登録され、第２の端末２が未登録の場合、ステップＴ２１２の処理を行われない。
【０１９４】
第１の端末２が登録され、第２の端末２が未登録の場合のステップＴ２１３では、選択部３０２が送受信部３０１から取得した画像情報の現在の送信先情報をステップＳ２０３において記憶した画像情報受信時の送信元情報（第２の端末２を示す情報）に変更する。また、送信元情報を通信装置１であることを示す情報に変更する。続いて、選択部３０２は、暗号化されたままの画像データと更新された送信元情報と送信先情報を送受信部３０１に出力する。図２０の（１３）を参照。
【０１９５】
第１の端末２が登録され、第２の端末２が未登録の場合のステップＴ２１４では、送受信部３０１が上記暗号化されたままの画像データと更新された送信元情報と送信先情報を有する画像情報を第２の端末２に送信する。図２０の（１４）を参照。
【０１９６】
ステップＴ２１４の処理をした後、上記説明したステップＴ２０７の処理に移行する。
ステップＴ２１４後のステップＴ７では、第２の端末２の情報送受信部８０２が通信装置１から送信された画像情報を受信する。情報送受信部８０２は、受信した画像情報の送信元情報を第２の端末２の転送部８０１に送信する。図２０の（７）を参照。
【０１９７】
ステップＴ２１４後のステップＴ２０８では、第２の端末２の転送部８０１が送信元情報を用いて、端末処理選択情報５４を参照し、処理を選択する。図２０の（８）を参照。本例では、「画像データ出力」に対応する処理が選択されるので、画像情報の暗号化されたままの画像データを、情報送受信部８０２を介して入出力部８０３へ送信する。または、画像データを、情報送受信部８０２を介さずに入出力部８０３へ送信する。その後、ステップＴ２１５に移行する。
【０１９８】
ステップＴ２１５では、第２の端末２の入出力部８０３が暗号化されたままの画像データを受信し、文書として出力する。図２０の（１５）を参照。
【０１９９】
ただし、第２の端末２に通信装置１への画像情報を転送する処理が設定されてない、または、第２の端末２に該機能を有さない場合、第２の端末２は画像データを含む画像情報を一度通信装置１に転送する処理をしない。その場合、第２の端末２は通信装置１に画像情報を転送しないで入出力部８０３から暗号化された画像データを文書として出力する。
【０２００】
図２０において第１の端末２が未登録で、第２の端末２が登録されている場合について説明する。
【０２０１】
第１の端末２が未登録で、第２の端末２が登録されている場合、通信装置１は送信側の第１の端末２から画像情報を受信する。図２０の（１）を参照。
【０２０２】
次に、通信装置１の選択部３０２は、第１の端末２から受信した画像情報の送信元情報と送信先情報を用い、暗号化処理選択情報５３を参照し、第１の端末２から受信した画像情報の画像データに対する処理を選択する。また、選択部３０２が暗号化パスワード選択情報１７１を参照し、送受信部３０１から入力された画像情報の送信先情報と送信元情報を用いて、暗号化処理に使用する暗号化パスワードを選択する。
【０２０３】
ただし、実施形態３では暗号化処理の際、第１の端末２または第２の端末２の少なくとも一方が未登録である場合には、記憶部２０２に暗号化処理選択情報５３とは別に記憶されている未登録暗号化パスワードを選択し、暗号化処理を行う。図２０の（３）を参照。
【０２０４】
次に、受信側の第２の端末２は通信装置１から画像情報を受信する。受信した画像情報の送信元情報が示す第１の端末２が未登録であるので、復号パスワード選択情報１９１に暗号化パスワードに対応する復号パスワードがないため、復号パスワードを添付しないで、通信装置１に画像データを転送する。図２０の（９）を参照（ただし、復号パスワードなし）。
【０２０５】
続いて、通信装置１はパスワードが添付されていないため復号できないため、復号しないで暗号化されたままの画像データを有する画像情報を、第２の端末２に送信する。
【０２０６】
次に、第２の端末２は、通信装置１から受信した画像情報に含まれる暗号化された画像データを、入出力部８０３から文書として出力する。図２０の（１５）を参照。
【０２０７】
ただし、第２の端末２に通信装置１への画像情報を転送する処理が設定されてない、または、第２の端末２に該機能を有さない場合、第２の端末２は画像データを含む画像情報を一度通信装置１に転送する処理をしない。その場合、第２の端末２は通信装置１に画像情報を転送しないで入出力部８０３から暗号化された画像データを文書として出力する。
【０２０８】
図２０において第１の端末２が未登録で、第２の端末２が未登録である場合について説明する。
【０２０９】
図２０において第１の端末２が未登録で、第２の端末２が未登録である場合、上記説明した第１の端末２が未登録で、第２の端末２が登録されている場合と同じように動作する。
【０２１０】
ただし、第２の端末２に通信装置１への画像情報を転送する処理が設定されてない、または、第２の端末２に該機能を有さない場合、第２の端末２は画像データを含む画像情報を一度通信装置１に転送する処理をしない。その場合、第２の端末２は通信装置１に画像情報を転送しないで入出力部８０３から暗号化された画像データを文書として出力する。
【０２１１】
第１の端末２が登録済みで、第２の端末２も登録済みで、未登録の端末２で暗号化行わない通常の通信も行える場合について説明する。
【０２１２】
第１の端末２が登録済み、第２の端末２も登録済みの場合は、ステップＴ２０１〜Ｔ２０２の処理を行い、送信側の第１の端末２が画像データを通信装置１に送信する。通信装置１では、暗号化処理選択情報１２１を用いて暗号化処理を選択し、画像データに対して暗号化処理を実施する。通信装置１が受信側の第２の端末２へ画像情報を送信する。受信側の第２の端末２から画像情報を通信装置１へ送信する。
【０２１３】
受信側の第２の端末２は、端末処理選択情報１２２を用いて処理を選択し、画像情報を通信装置１に送信する。
【０２１４】
通信装置１で暗号化処理選択情報１２１を用いて復号処理を選択し、第２の端末２から受信した画像情報の暗号化された画像データに対して復号処理を実施する。通信装置１が受信側の第２の端末２へ復号した画像データを有する画像情報を送信する。受信側の第２の端末２で端末処理選択情報１２２を用いて処理を選択し、復号した画像データを出力する。
【０２１５】
第１の端末２が登録済みで、第２の端末２が未登録である場合について説明する。実施形態３においては、ステップＴ２０１〜Ｔ２０２の処理を行い、送信側の第１の端末２が画像データを通信装置１に送信する。通信装置１では、暗号化処理選択情報１２１を用いて暗号化処理を選択し、画像データに対して暗号化処理を実施する。通信装置１が受信側の第２の端末２へ画像情報を送信する。受信側の第２の端末２で端末処理選択情報１２２を用いて処理を選択し、受信した画像情報に含まれる暗号化された画像データを、未登録の第２の端末２で出力する。
【０２１６】
第１の端末２が未登録で、第２の端末２が登録済みで、未登録の端末２で暗号化を行わない通常の通信も行える場合には、送信側の第１の端末２が画像データ（非暗号化）を通信装置１に送信する。通信装置１では暗号化処理選択情報１２１を用いて処理なしを選択し、画像データに対して処理をしない。通信装置１から受信側の第２の端末２へ画像情報を送信する。 受信側の第２の端末２は画像データ（非暗号化）を出力する。
【０２１７】
第１の端末２が未登録で、第２の端末２も未登録で、未登録の端末２で暗号化を行わない通常の通信も行える場合には、送信側の第１の端末２が画像データ（非暗号化）を通信装置１に送信する。通信装置１では暗号化処理選択情報１２１を用いて処理なしを選択し、画像データに対して処理をしない。通信装置１から受信側の第２の端末２へ画像情報を送信する。 受信側の第２の端末２は画像データ（非暗号化）を出力する。
【０２１８】
実施形態３によれば、登録済の端末２間では、画像データは暗号化された後に復号されて受信側の第２の端末２に出力される。一方、未登録の第２の端末２で受信すると暗号化された画像データが出力されるか、受信した画像データを通信装置１に転送したとしても復号されない。従って、登録済の第１の端末２から送信された画像データの内容が、未登録の端末２に漏洩しないため、誤送信による情報漏洩を抑制することが可能となる。
【０２１９】
また、復号パスワード選択情報に記憶する復号パスワードの数を端末２ごとに変更することにより、登録済の端末２間でも受信した画像データの復号の可否を制御することが可能となる。
【０２２０】
実施形態４について説明する。
実施形態４では暗号化および復号に用いるパスワードを画像情報に添付し、送信側の登録済みの第１の端末２から通信装置１へ送信することが他の実施形態と異なる。
【０２２１】
実施形態４では、通信装置１が暗号化処理選択情報に従って、第１の端末２から受信した画像情報に添付されてきた暗号化パスワードを用いて、画像データに対して暗号化処理を行い、暗号化した画像データとパスワードを第２の端末２に送信する。
【０２２２】
第２の端末２は、受信した画像情報を動作設定に従って、通信装置１に転送する。その時、受信した画像情報に添付されてきたパスワードも通信装置１に添付し、送信する。
【０２２３】
通信装置１は、暗号化処理選択情報に従って、第２の端末２から受信した画像情報の画像データを、添付されてきたパスワードを用いて復号し、第２の端末２に送信する。
【０２２４】
第２の端末２は動作設定に従って受信した画像情報を出力する。
実施形態４の送受信部の動作について説明する。
【０２２５】
図２１は、送受信部の動作の一実施例を示す図である。ステップＳ２１０１では、送受信部３０１が送信元となる端末２（送信側の端末（第１の端末２）または受信側の端末（第２の端末２）から画像情報を受信し、画像情報に含まれる送信元情報、送信先情報、画像データと、パスワードとを実施形態３の選択部３０２に出力する。また、送信先が通信装置１の画像情報の場合は、送受信部３０１は画像情報に添付されてきたパスワードも選択部３０２に出力する。
【０２２６】
ステップＳ２１０２では、送受信部３０１が選択部３０２から送信元情報、送信先情報、画像データ、パスワードを受信する。画像データは、暗号化処理部３０３により暗号化された画像データである場合と、復号処理部３０４により復号された画像データである場合と、復号されない画像データである場合がある。
【０２２７】
ステップＳ２１０３では、送受信部３０１が選択部３０２から受信した送信元情報、送信先情報、暗号化された画像データ、パスワードを含む画像情報を、該送信先情報に示す送信先の端末２（受信側の第２の端末２）に送信する。このときの送信元情報は送信先の端末２（送信側の第１の端末２）を示す情報である。
【０２２８】
また、送受信部３０１が選択部３０２から受信した送信元情報、送信先情報、復号した画像データ、パスワードを含む画像情報を、該送信先情報に示す送信先の端末２（受信側の第２の端末２）に送信する。このときの送信元情報は通信装置１を示す情報である。
【０２２９】
実施形態４の選択部の動作について説明する。
図２２は、選択部の動作の一実施例を示す図である。ステップＳ２２０１では、選択部３０２が送受信部３０１から送信元情報、送信先情報、画像データ、パスワードを取得する。例えば、送信元となる端末２（送信側の端末（第１の端末２）または受信側の端末（第２の端末２）から送信元情報、送信先情報、画像データ、パスワードを取得する。
【０２３０】
ステップＳ２２０２では、選択部３０２が第１の端末２から受信した画像情報の送信元情報または送信先情報を用い、登録済端末情報を参照し、送信元情報または送信先情報に示されている端末２が登録済みの端末２であるかを判定する。また、選択部３０２は画像情報の送信元情報と送信先情報と画像データを記憶部２０２に記憶する。記憶した情報は、第２の端末２から画像データが出力されたことの確認、または第１の端末２と第２の端末２の通信が終了したことの確認などを、通信装置１が検出した際に記憶部２０２から上記記憶した送信元情報と送信先情報と画像データを削除する。
【０２３１】
ステップＳ２２０３では、選択部３０２が暗号化処理選択情報５３を参照し、第１の端末２または第２の端末２から受信した画像情報に含まれる画像データに対する処理を選択する。送信元情報が「登録済端末」で、送信先情報が「通信装置」である場合、復号処理を行うことが選択されステップＳ２２０６に移行する。送信元情報が「未登録端末」で、送信先情報が「通信装置」である場合、処理をしないことが選択されステップＳ２２０９に移行する。送信元情報が「全ての端末」で、送信先情報が「通信装置以外」である場合、暗号化処理を行うことが選択されステップＳ２２０４に移行する。送信元情報が「全ての端末」で、送信先情報が「同報１」または「同報２」である場合、暗号化処理を行うことが選択されステップＳ２２０４に移行する。
【０２３２】
ステップＳ２２０４では、選択部３０２が受信した画像情報のパスワードと画像データとを暗号化処理部３０３に出力する。
【０２３３】
ステップＳ２２０５では、選択部３０２が暗号化処理部３０３で暗号化された画像データを取得し、現在の画像データを暗号化された画像データに変更し、送信元情報と送信先情報と暗号化された画像データ、パスワードを送受信部３０１に出力する。
【０２３４】
ステップＳ２２０６では、選択部３０２が第２の端末２から送信される画像情報を受信して、画像情報の暗号化された画像データとパスワードを復号処理部３０４に出力する。
【０２３５】
ステップＳ２２０７では、選択部３０２が復号処理部３０４で復号された画像データを取得し、現在の暗号化された画像データを復号された画像データに変更する。
【０２３６】
ステップＳ２２０８では、選択部３０２が現在の送信元情報を通信装置１を示す情報に変更し、現在の送信先情報を現在の送信元情報を示す情報（第２の端末２を示す情報）に変更し、復号された画像データとともに送受信部３０１に出力する。
【０２３７】
ステップＳ２２０９では、選択部３０２が現在の送信元情報を通信装置１を示す情報に変更し、現在の送信先情報を現在の送信元情報を示す情報（第２の端末２を示す情報）に変更し、現在の暗号化された画像データとともに送受信部３０１に出力する。
【０２３８】
端末の動作について説明をする。
図２３は、実施形態４の端末の動作の一実施例を示す図である。ステップＳ２３０１では、実施形態４の第２の端末２の情報送受信部８０２が通信装置１から送信された画像情報を受信する。続いて、情報送受信部８０２は受信した画像情報の送信元情報を第２の端末２の転送部８０１に送信する。
【０２３９】
ステップＳ２３０２では、第２の端末２の転送部８０１が送信元情報を用いて、端末処理選択情報５４を参照し、処理を選択する。例えば、送信元情報に通信装置１を示す情報が示されている場合、画像データを入出力部８０３へ送信する処理が選択されステップＳ２３０３（Ｙｅｓ）に移行する。送信元情報に通信装置１を示す情報以外が示されている場合、画像データを通信装置１へ転送する処理が選択されステップＳ２３０４（Ｎｏ）に移行する。
【０２４０】
ステップＳ２３０３では、第２の端末２の転送部８０１が画像情報の画像データを入出力部８０３から出力する処理が選択されている場合には、画像情報の画像データを情報送受信部８０２を介して入出力部８０３へ送信する。または、画像データを、情報送受信部８０２を介さずに入出力部８０３へ直接出力する。
【０２４１】
ステップＳ２３０４では、第２の端末２の転送部８０１が受信した画像情報の画像データとパスワードとを通信装置１に転送する。
【０２４２】
通信装置と端末の動作について説明をする。
図２４は、通信装置（ＦＡＸサーバ）と複数の端末（ＦＡＸ端末）を備えたシステムの情報の流れを示す図である。図２４の説明において、通信装置１はＦＡＸサーバを示し、端末２はＦＡＸ機能を有する端末を示している。なお、図２４において端末２は便宜上２つだけを示し、画像データ（ＦＡＸ文書）を送信する側の端末を第１の端末と呼び、画像データを受信する側の端末を第２の端末と呼ぶこととする。
【０２４３】
図２４において第１の端末２が登録され、第２の端末２も登録の場合について説明する。
【０２４４】
ステップＴ２４０１では、第１の端末２の入出力部８０３を用いて入力された文書を、画像データ（ＦＡＸ文書）に変換し、情報送受信部８０２から画像データを含む画像情報とパスワードを、通信装置１へ送信する。その際、通信装置１への画像情報の送信はネットワークを用いてもよいし、電話回線を用いてもよい。ネットワークを用いる場合、端末２各々は通信装置１のＩＰアドレスなどを記憶している。電話回線を用いる場合、端末２各々は通信装置１に接続される電話番号またはＦＡＸ番号などを記憶している。そして、上記ＩＰアドレス、電話番号、ＦＡＸ番号などを用いて、端末２は通信装置１に画像情報とパスワードを送信する。
【０２４５】
送信される画像情報の送信元情報には第１の端末２を示す情報が設定され、送信先情報には第２の端末２を示す情報が設定されている。図２４の（１）を参照。なお、画像データは暗号化されていない。
【０２４６】
ステップＴ２４０２では、第１の端末２から送信された画像情報は、通信装置１の送受信部３０１で受信され、画像情報の送信元情報、送信先情報、画像データ、パスワードが選択部３０２に出力される。図２４の（２）を参照。
【０２４７】
ステップＴ２４０３では、選択部３０２が第１の端末２から受信した画像情報の送信元情報と送信先情報を用い、暗号化処理選択情報を参照し、第１の端末２から受信した画像情報の画像データに対する処理を選択する。図２４の場合には、画像データに対する処理として画像データを暗号化処理が選択され、選択部３０２は暗号化処理部３０３に画像データとパスワードを出力する。図２４の（３）を参照。
【０２４８】
なお、選択部３０２は画像情報の送信元情報と送信先情報と画像データを記憶部２０２に記憶する。そして、第２の端末２から画像データが出力されたことの確認、または第１の端末２と第２の端末２の通信が終了したことの確認などを、通信装置１が検出した際に記憶部２０２から上記記憶した送信元情報と送信先情報と画像データを削除する。ステップＴ２４１３を参照。
【０２４９】
ステップＴ２４０４では、暗号化処理部３０３が画像データとパスワードを受信し、パスワードを用いて画像データ（非暗号化）を暗号化された画像データに変換し、暗号化処理部３０３は暗号化された画像データを選択部３０２に送信する。図２４の（４）を参照。
【０２５０】
ステップＴ２４０５では、選択部３０２が暗号化された画像データ、送信元情報、送信先情報、パスワードを有する画像情報を送受信部３０１に出力する。このとき、出力される画像情報の送信元情報は第１の端末２を示す情報、送信先情報は第２の端末２を示す情報に、選択部３０２により設定されている。図２４の（５）を参照。
【０２５１】
ステップＴ２４０６では、送受信部３０１が選択部３０２から取得した画像情報（パスワードを含む）を第２の端末２に送信する。図２４の（６）を参照。
【０２５２】
ステップＴ２４０７では、第２の端末２の情報送受信部８０２が通信装置１から送信された画像情報を受信する。情報送受信部８０２は、受信した画像情報の送信元情報を第２の端末２の転送部８０１に送信する。図２０の（７）を参照。
【０２５３】
ステップＴ２４０８では、第２の端末２の転送部８０１が送信元情報を用いて、端末処理選択情報５４を参照し、処理を選択する。例えば、送信元情報に通信装置１を示す情報が記憶されている場合、画像データを入出力部８０３へ送信する処理を選択する。第２の端末２の転送部８０１は、「通信装置に転送」に対応する処理と「画像データ出力」に対応する処理のうち選択された処理を行う。「通信装置に転送」に対応する処理が選択されている場合には画像情報の送信元情報を第２の端末２を示す情報に設定し、送信先情報を通信装置１に設定し、該画像情報（パスワードを含む）を情報送受信部８０２に送信する。また、画像データを、情報送受信部８０２を介さずに入出力部８０３へ送信する。図２４の（８）を参照。
【０２５４】
ステップＴ２４０９では、「通信装置に転送」に対応する処理が選択されている場合、第２の端末２の情報送受信部８０２は、転送部８０１から受信した画像情報（パスワードを含む）を通信装置１に送信する。図２４の（９）を参照。
【０２５５】
ステップＴ２４１０では、通信装置１の送受信部３０１が第２の端末２の情報送受信部８０２から受信した画像情報（パスワードを含む）を受信する。そして、画像情報の送信元情報、送信先情報、画像データ、パスワードを選択部３０２に送信する。図２４の（１０）を参照。
【０２５６】
ステップＴ２４１１では、通信装置１の選択部３０２が暗号化処理選択情報を参照し、処理を選択する。本例では、送信元情報に登録済みの第２の端末２を示す情報と、送信先情報に通信装置１を示す情報が記憶されているので、暗号化処理選択情報５３を参照し、画像データに対する処理として復号処理が選択される。復号時のパスワードは、画像データに添付されてきた復号パスワードを使用する。そして、暗号化されている画像データとパスワードを復号処理部３０４に出力される。図２４の（１１）を参照。
【０２５７】
ステップＴ２４１２では、復号処理部３０４が暗号化されている画像データに対して復号処理を行い、復号した画像データを選択部３０２に出力する。図２４の（１２）を参照。
【０２５８】
ステップＴ２４１３では、選択部３０２が送受信部３０１から取得した画像情報の現在の送信先情報をステップＴ２４０３において記憶した画像情報受信時の送信元情報（第２の端末２を示す情報）に変更する。また、送信元情報を通信装置１であることを示す情報に変更する。続いて、選択部３０２は、復号された画像データと更新された送信元情報と送信先情報を送受信部３０１に出力する。図２４の（１３）を参照。
【０２５９】
ステップＴ２４１４では、送受信部３０１が上記復号された画像データと更新された送信元情報と送信先情報を有する画像情報を第２の端末２に送信する。図２４の（１４）を参照。
【０２６０】
ステップＴ２４１４の処理をした後、上記説明したステップＴ２０７の処理に移行する。
【０２６１】
ステップＴ２４１４後のステップＴ２０７では、第２の端末２の情報送受信部８０２が通信装置１から送信された画像情報を受信する。情報送受信部８０２は、受信した画像情報の送信元情報を第２の端末２の転送部８０１に送信する。図２４の（７）を参照。
【０２６２】
ステップＴ２４１４後のステップＴ２４０８では、第２の端末２の転送部８０１が送信元情報を用いて、端末処理選択情報を参照し、処理を選択する。図２４の（８）を参照。本例では、「画像データ出力」に対応する処理が選択されるので、画像情報の復号された画像データを、情報送受信部８０２を介して入出力部８０３へ送信する。または、画像データを、情報送受信部８０２を介さずに入出力部８０３へ送信する。その後、ステップＴ２４１５に移行する。
【０２６３】
ステップＴ２４１５では、第２の端末２の入出力部８０３が復号された画像データを受信し、文書として出力する。図２４の（１５）を参照。
【０２６４】
図２４において第１の端末２が登録され、第２の端末２が未登録の場合について説明する。
【０２６５】
第１の端末２が登録され、第２の端末２が未登録の場合、上記ステップＴ２４０１〜ステップＴ２４１０までの処理を行う。ただし、第２の端末２の転送部８０１には通信装置１へ画像情報（図２４の（９）を参照）を転送できるものとする。
【０２６６】
次に、上記第１の端末２が登録され、第２の端末２が未登録の場合のステップＴ２４１１では、通信装置１の選択部３０２が暗号化処理選択情報を参照し、処理を選択する。本例では、送信元情報に未登録の第２の端末２を示す情報と、送信先情報に通信装置１を示す情報が記憶されているので、暗号化処理選択情報５３を参照し、画像データに対する処理として処理なしが選択される。その結果、暗号化されている画像データは復号処理部３０４により復号されないので、暗号化された画像のままになる。すなわち、第１の端末２が登録され、第２の端末２が未登録の場合、ステップＴ２１２の処理を行われない。
【０２６７】
第１の端末２が登録され、第２の端末２が未登録の場合のステップＴ２４１３では、選択部３０２が送受信部３０１から取得した画像情報の現在の送信先情報をステップＳ２４０３において記憶した画像情報受信時の送信元情報（第２の端末２を示す情報）に変更する。また、送信元情報を通信装置１であることを示す情報に変更する。続いて、選択部３０２は、暗号化されたままの画像データと更新された送信元情報と送信先情報を送受信部３０１に出力する。図２４の（１３）を参照。
【０２６８】
第１の端末２が登録され、第２の端末２が未登録の場合のステップＴ２４１４では、送受信部３０１が上記暗号化されたままの画像データと更新された送信元情報と送信先情報を有する画像情報を第２の端末２に送信する。図２４の（１４）を参照。
【０２６９】
ステップＴ２４１４の処理をした後、上記説明したステップＴ２４０７の処理に移行する。
【０２７０】
ステップＴ２４１４後のステップＴ７では、第２の端末２の情報送受信部８０２が通信装置１から送信された画像情報を受信する。情報送受信部８０２は、受信した画像情報の送信元情報を第２の端末２の転送部８０１に送信する。図２４の（７）を参照。
【０２７１】
ステップＴ２４１４後のステップＴ２４０８では、第２の端末２の転送部８０１が送信元情報を用いて、端末処理選択情報５４を参照し、処理を選択する。図２４の（８）を参照。本例では、「画像データ出力」に対応する処理が選択されるので、画像情報の暗号化されたままの画像データを、情報送受信部８０２を介して入出力部８０３へ送信する。または、画像データを、情報送受信部８０２を介さずに入出力部８０３へ送信する。その後、ステップＴ２４１５に移行する。
【０２７２】
ステップＴ２４１５では、第２の端末２の入出力部８０３が暗号化されたままの画像データを受信し、文書として出力する。図２４の（１５）を参照。
【０２７３】
ただし、第２の端末２に通信装置１への画像情報を転送する処理が設定されてない、または、第２の端末２に該機能を有さない場合、第２の端末２は画像データを含む画像情報を一度通信装置１に転送する処理をしない。その場合、第２の端末２は通信装置１に画像情報を転送しないで入出力部８０３から暗号化された画像データを文書として出力する。
【０２７４】
図２４において第１の端末２が未登録で、第２の端末２が登録されている場合について説明する。
【０２７５】
第１の端末２が未登録で、第２の端末２が登録されている場合、通信装置１は送信側の第１の端末２から画像情報（パスワードを含む）を受信する。図２４の（１）を参照。
【０２７６】
次に、通信装置１の選択部３０２は、第１の端末２から受信した画像情報の送信元情報と送信先情報を用い、暗号化処理選択情報５３を参照し、第１の端末２から受信した画像情報の画像データに対する処理を選択する。
【０２７７】
ただし、実施形態４では暗号化処理の際、受信した画像データに添付されてきたパスワードを用いて暗号化処理を行う。図２４の（３）を参照。
【０２７８】
次に、受信側の第２の端末２は通信装置１から画像情報を受信する。受信した画像データに添付されてきた復号パスワードを添付して、通信装置１に画像データを転送する。図２４の（９）を参照。
【０２７９】
続いて、通信装置１はパスワードが添付されていないため復号できないため、復号しないで暗号化されたままの画像データを有する画像情報を、第２の端末２に送信する。
【０２８０】
次に、第２の端末２は、通信装置１から受信した画像情報に含まれる暗号化された画像データを、入出力部８０３から文書として出力する。図２４の（１５）を参照。
【０２８１】
ただし、第２の端末２に通信装置１への画像情報を転送する処理が設定されてない、または、第２の端末２に該機能を有さない場合、第２の端末２は画像データを含む画像情報を一度通信装置１に転送する処理をしない。その場合、第２の端末２は通信装置１に画像情報を転送しないで入出力部８０３から暗号化された画像データを文書として出力する。
【０２８２】
図２４において第１の端末２が未登録で、第２の端末２が未登録である場合について説明する。
【０２８３】
図２４において第１の端末２が未登録で、第２の端末２が未登録である場合、上記説明した第１の端末２が未登録で、第２の端末２が登録されている場合と同じように動作する。
【０２８４】
ただし、第２の端末２に通信装置１への画像情報を転送する処理が設定されてない、または、第２の端末２に該機能を有さない場合、第２の端末２は画像データを含む画像情報を一度通信装置１に転送する処理をしない。その場合、第２の端末２は通信装置１に画像情報を転送しないで入出力部８０３から暗号化された画像データを文書として出力する。
【０２８５】
未登録の端末２で暗号化を行わない通常の通信も行える場合について説明する。
第１の端末２が登録済みで、第２の端末２も登録済みで、未登録の端末２で暗号化行わない通常の通信も行える場合について説明する。
【０２８６】
第１の端末２が登録済み、第２の端末２も登録済みの場合は、ステップＴ２４０１〜Ｔ２４０２の処理を行い、送信側の第１の端末２が画像データを通信装置１に送信する。通信装置１では、暗号化処理選択情報１２１を用いて暗号化処理を選択し、画像データに対して暗号化処理を実施する。通信装置１が受信側の第２の端末２へ画像情報を送信する。受信側の第２の端末２から画像情報を通信装置１へ送信する。
【０２８７】
受信側の第２の端末２は、端末処理選択情報１２２を用いて処理を選択し、画像情報を通信装置１に送信する。
【０２８８】
通信装置１で暗号化処理選択情報１２１を用いて復号処理を選択し、第２の端末２から受信した画像情報の暗号化された画像データに対して復号処理を実施する。通信装置１が受信側の第２の端末２へ復号した画像データを有する画像情報を送信する。受信側の第２の端末２で端末処理選択情報１２２を用いて処理を選択し、復号した画像データを出力する。
【０２８９】
第１の端末２が登録済みで、第２の端末２が未登録である場合について説明する。実施形態３においては、ステップＴ２４０１〜Ｔ２４０２の処理を行い、送信側の第１の端末２が画像データを通信装置１に送信する。通信装置１では、暗号化処理選択情報１２１を用いて暗号化処理を選択し、画像データに対して暗号化処理を実施する。通信装置１が受信側の第２の端末２へ画像情報を送信する。受信側の第２の端末２で端末処理選択情報１２２を用いて処理を選択し、受信した画像情報に含まれる暗号化された画像データを、未登録の第２の端末２で出力する。
【０２９０】
第１の端末２が未登録で、第２の端末２が登録済みで、未登録の端末２で暗号化を行わない通常の通信も行える場合には、送信側の第１の端末２が画像データ（非暗号化）を通信装置１に送信する。通信装置１では暗号化処理選択情報１２１を用いて処理なしを選択し、画像データに対して処理をしない。通信装置１から受信側の第２の端末２から画像情報を送信する。 受信側の第２の端末２は画像データ（非暗号化）を出力する。
【０２９１】
第１の端末２が未登録で、第２の端末２も未登録で、未登録の端末２で暗号化を行わない通常の通信も行える場合には、送信側の第１の端末２が画像データ（非暗号化）を通信装置１に送信する。通信装置１では暗号化処理選択情報１２１を用いて処理なしを選択し、画像データに対して処理をしない。通信装置１から受信側の第２の端末２から画像情報を送信する。 受信側の第２の端末２は画像データ（非暗号化）を出力する。
【０２９２】
実施形態４によれば、登録済み端末２間では、画像データは暗号化された後に復号されて受信側の第２の端末に出力される。一方、未登録の端末２で受信すると暗号化された画像データが出力されるか、受信した画像データを通信装置１に転送したとしても復号されない。従って、登録済みの第１の端末２から送信された画像データの内容が、未登録の第２の端末２に漏洩しないため、誤送信による情報漏洩を抑制することができる。
【０２９３】
また、上記実施形態１〜４および変形例のシステムでは、端末２と通信装置１から構成されているが、通信装置１の配信機能と暗号化処理選択機能を分離して独立させた配信サーバと暗号化処理と復号処理に特化した通信装置１から構成されていてもよい。
【０２９４】
また、上記の通信装置１では、復号処理の選択を送信元が通信装置１かどうかで選択していたが、受信側の第２の端末２が、受信した画像情報の送信元と送信先を自分自身に設定して通信装置１に転送し、通信装置１で、送信元と送信先が同じ場合は復号処理をするようにしてもよい。
【０２９５】
また、本発明は、上記実施の形態に限定されるものでなく、本発明の要旨を逸脱しない範囲内で種々の改良、変更が可能である。各実施形態は処理に矛盾の無い限りにおいて、互いに組み合わせても構わない。
【０２９６】
以上実施形態１〜４と変形例を含む実施形態に関し、更に以下の付記を開示する。
（付記１）
通信回線を用いて送信元の第１の端末または送信先の第２の端末との間で、送信元を識別する送信元情報と、送信先を識別する送信先情報と、画像データと、を有する画像情報を、送受信する通信装置であって、
受信した画像情報の送信先情報と送信元情報とを用いて、前記送信先情報と前記送信元情報の組み合わせと、前記画像データに対して行う暗号化処理または復号処理とが関連付けられている暗号化処理選択情報を参照し、受信した画像情報の画像データに対する処理を選択し、
前記暗号化処理が選択された場合は、暗号化処理部に前記画像データを送信し、前記暗号化処理部により暗号化された画像データを取得し、暗号化された画像データを用いて、前記第２の端末に送信する画像情報を生成し、
前記復号処理が選択された場合は、復号処理部に前記暗号化された画像データを送信し、前記復号処理部により復号した画像データを取得し、復号した画像データを用いて、前記第２の端末に送信する画像情報を生成する、選択部を備えることを特徴とする通信装置。
（付記２）
前記暗号化処理選択情報に、前記送信先情報と前記送信元情報の組み合わせと、前記画像データに対して前記暗号化処理または前記復号処理をしないことを示す処理なしと、を関連付けて記憶し、
前記選択部は、前記処理なしが選択された場合は、前記暗号化された画像データと、前記送信元情報を通信装置を示す情報に変更した送信元情報と、前記送信先情報を送信先である第２の端末を示す情報に変更した送信先情報と、受信した画像データを用いて、前記第２の端末に送信する画像情報を生成する、
ことを特徴とする付記１に記載の通信装置。
（付記３）
前記選択部は、
前記暗号化処理が選択された場合は、暗号化された画像データと前記送信元情報と前記送信先情報とを用いて、前記第２の端末に送信する画像情報を生成し、
前記復号処理が選択された場合は、復号した画像データと、前記送信元情報を復号された画像であることを示す情報に変更した送信元情報と、前記送信先情報を送信先である第２の端末を示す情報に変更した送信先情報とを用いて、前記第２の端末に送信する画像情報を生成する、
ことを特徴とする付記１または２記載の通信装置。
（付記４）
前記選択部は、
前記送信元情報に登録済みの端末が示されている場合には前記暗号化処理を選択し、前記暗号化処理部に前記画像データを送信し、前記暗号化処理部により暗号化された画像データを取得し、暗号化された画像データと前記送信元情報と前記送信先情報とを用いて、前記第２の端末に送信する画像情報を生成し、
前記送信元情報に示される端末が登録済みで、前記送信先情報に通信装置が示されている場合は、復号処理を選択し、前記復号処理部に前記暗号化された画像データを送信し、前記復号処理部により復号された画像データを取得し、復号した画像データと、前記送信元情報を通信装置を示す情報に変更した送信元情報と、前記送信先情報を送信先である第２の端末を示す情報に変更した送信先情報とを用いて、前記第２の端末に送信する画像情報を生成し、
前記送信元情報に示される端末が未登録で、前記送信先情報に通信装置が示されている場合は、復号処理をしないことを選択し、前記暗号化された画像データと、前記送信元情報を通信装置を示す情報に変更した送信元情報と、前記送信先情報を送信先である第２の端末を示す情報に変更した送信先情報と、を用いて、前記第２の端末に送信する画像情報を生成する、
ことを特徴とする付記１〜３のいずれか１つに記載の通信装置。
（付記５）
前記選択部は、
前記送信元情報に登録済みの端末が示されている場合には前記暗号化処理を選択し、前記暗号化処理部に前記画像データとパスワードを送信し、前記暗号化処理部により前記パスワードを用いて暗号化された画像データを取得し、
前記送信元情報に示される端末が登録済みで、前記送信先情報に通信装置が示されている場合は、前記復号処理を選択し、前記復号処理部に前記暗号化された画像データと前記パスワードを送信し、前記復号処理部により前記パスワードを用いて復号した画像データを取得する、
ことを特徴とする付記４に記載の通信装置。
（付記６）
前記パスワードは、前記通信回線を用いて前記通信装置に接続される登録済みの前記端末すべてにおいて、共通のパスワードであることを特徴とする付記５に記載の通信装置。
（付記７）
前記パスワードを、前記通信回線を用いて前記通信装置に接続される登録済みの端末各々に異なるパスワードを割り振り、
前記選択部は、
前記暗号化処理を行う場合、前記第１の端末から取得した前記画像情報の前記送信先情報の示す情報各々を用いて、前記端末の識別情報との組み合わせに関連付けられているパスワードを記憶するパスワード選択情報を参照し、登録済みの前記端末各々に割り振られているパスワードを選択し、前記画像データと前記パスワードとを前記暗号化処理部に出力し、
前記復号処理を行う場合、前記第２の端末から取得した前記画像情報の前記送信元情報の示す情報各々を用いて、前記パスワード選択情報を参照し、登録済みの前記端末各々に割り振られているパスワードを選択し、前記画像データと前記パスワードとを前記復号処理部に出力する、
ことを特徴とする付記５に記載の通信装置。
（付記８）
前記パスワードを、前記通信回線を用いて前記通信装置に接続される複数の端末の組み合わせによりに異なるパスワードを割り振り、
前記選択部は、
前記暗号化処理を行う場合、前記第１の端末から取得した前記画像情報の前記送信元情報と前記送信先情報の示す情報各々を用いて、前記第１の端末の識別情報と前記第２の端末の識別情報との組み合わせに関連付けられているパスワードを記憶する暗号化パスワード選択情報を参照し、前記パスワードを選択し、前記暗号化処理部に前記画像データと選択した前記パスワードを出力し、
前記復号処理を行う場合、前記第２の端末において、前記通信装置から送信された前記画像情報の前記送信元情報と前記送信先情報の示す情報各々を用いて、前記第１の端末の識別情報と前記第２の端末の識別情報との組み合わせに関連付けられているパスワードを記憶する復号パスワード選択情報を参照し、前記パスワードを選択し、前記第２の端末から送信された選択された前記パスワードと前記画像情報とを前記送受信部を介して取得し、前記復号処理部に前記画像情報の有する前記画像データと前記パスワードとを出力する、
ことを特徴とする付記５に記載の通信装置。
（付記９）
前記パスワードは、前記通信回線を用いて前記通信装置に接続される前記第１の端末に固有のパスワードを割り振り、
前記選択部は、
前記暗号化処理を行う場合、前記画像情報と前記第１の端末に割り振られている前記パスワードとを前記送受信部を介して前記第１の端末から取得し、前記暗号化処理部に前記画像情報の有する前記画像データと前記パスワードとを出力し、
前記復号処理を行う場合、前記画像情報の暗号化された画像データと前記パスワードとを前記送受信部を介して前記第２の端末から取得し、復号処理部に前記暗号化された画像データと前記パスワードとを出力することを特徴とする付記５に記載の通信装置。
（付記１０）
通信装置は、通信回線を用いて送信元の第１の端末から、送信元を識別する送信元情報と、送信先を識別する送信先情報と、画像データと、を有する画像情報を受信し、
前記受信した画像情報の送信先情報と送信元情報とを用いて、前記送信先情報と前記送信元情報の組み合わせと、前記画像データに対して行う暗号化処理または復号処理とが関連付けられている暗号化処理選択情報を参照し、受信した画像情報の画像データに対する処理を選択し、前記暗号化処理が選択された場合は、前記画像データを暗号化し、前記暗号化された画像データを有する画像情報を生成し、前記画像情報を前記第２の端末に送信し、
前記第２の端末は、前記暗号化された画像データと前記送信元情報と前記送信先情報とを有する画像情報を受信し、前記暗号化された画像データを復号する場合、受信した前記画像情報の前記送信元情報を前記第２の端末を示す情報に変更し、前記送信先情報を前記通信装置を示す情報に変更し、前記通信装置に送信し、
前記通信装置は、前記第２の端末から受信した前記画像情報の送信先情報と送信元情報とを用いて、前記暗号化処理選択情報を参照し、前記復号処理が選択された場合は、前記暗号化された画像データを前記復号し、前記復号した画像データを有する画像情報を生成し、前記第２の端末に送信し、
前記第２の端末は、前記通信装置から受信した前記画像情報の復号した前記画像データを文書として出力する、
ことを特徴とする通信方法。
（付記１１）
前記暗号化処理選択情報に、前記送信先情報と前記送信元情報の組み合わせと、前記画像データに対して前記暗号化処理または前記復号処理をしないことを示す処理なしと、を関連付けて記憶し、
前記処理なしが選択された場合は、前記暗号化された画像データと、前記送信元情報を通信装置を示す情報に変更した送信元情報と、前記送信先情報を送信先である第２の端末を示す情報に変更した送信先情報と、受信した画像データを用いて、前記第２の端末に送信する画像情報を生成する、
ことを特徴とする付記１０に記載の通信方法。
（付記１２）
暗号化処理が選択された場合は、暗号化された画像データと前記送信元情報と前記送信先情報とを用いて、前記第２の端末に送信する画像情報を生成し、
復号処理が選択された場合は、復号した画像データと、前記送信元情報を復号された画像であることを示す情報に変更した送信元情報と、前記送信先情報を送信先である第２の端末を示す情報に変更した送信先情報とを用いて、前記第２の端末に送信する画像情報を生成する、
ことを特徴とする付記１０または１１の記載の通信方法。
（付記１３）
前記通信装置は、前記送信元情報に登録済みの端末が示されている場合、前記画像データを用いて暗号化処理を行い、暗号化された画像データを有する画像情報を送信先である第２の端末に送信し、
前記第２の端末は、前記暗号化された画像データと前記送信元情報と前記送信先情報とを有する画像情報を受信し、
前記第２の端末は、受信した前記画像情報の前記送信元情報が前記通信装置以外を示す情報である場合、受信した前記画像情報の前記送信元情報を前記第２の端末を示す情報に変更し、前記送信先情報を前記通信装置を示す情報に変更し、前記通信装置に送信し、
前記通信装置は、前記第２の端末から受信した前記画像情報の前記送信元情報に示される端末が登録済みで、前記送信先情報に通信装置が示されている場合は、復号処理を選択し、前記暗号化された画像データを復号し、
前記通信装置は、前記送信元情報を前記通信装置を示す情報に変更した前記送信元情報と、前記第２の端末を示す情報に変更した前記送信先情報と、復号した前記画像データと、を有する画像情報を、前記第２の端末に送信し、
前記第２の端末は、前記通信装置から受信した前記画像情報の前記送信元情報が前記通信装置を示す情報である場合、復号した前記画像データを文書として出力する、
ことを特徴とする付記１０〜１２のいずれか１つに記載の通信方法。
（付記１４）
前記通信装置は、前記送信元情報に登録済みの端末が示されている場合、前記画像データとパスワードを用いて暗号化処理を行い、暗号化された画像データを有する画像情報を送信先である第２の端末に送信し、
前記通信装置は、前記第２の端末から受信した前記画像情報の前記送信元情報に示される端末が登録済みで、前記送信先情報に通信装置が示されている場合は、復号処理を選択し、前記パスワードを用いて前記暗号化された画像データを復号し、
ことを特徴とする付記１３に記載の通信方法。
（付記１５）
前記通信装置は、前記第２の端末から受信した前記画像情報の前記送信元情報に示される端末が未登録で、前記送信先情報に通信装置が示されている場合、復号処理をしないことを選択し、前記通信装置を示す情報に変更した前記送信元情報と、送信先である前記第２の端末を示す情報に変更した前記送信先情報と、前記暗号化された画像データと、を有する前記画像情報を、前記送受信部に出力する、
ことを特徴とする付記１３に記載の通信方法。
（付記１６）
前記パスワードは、前記通信回線を用いて前記通信装置に接続される登録済みの前記端末すべてにおいて、共通のパスワードであることを特徴とする付記１５に記載の通信方法。
（付記１７）
前記パスワードは、前記通信回線を用いて前記通信装置に接続される登録済みの端末各々に異なるパスワードを割り振り、
暗号化処理を行う場合、前記第１の端末から取得した前記画像情報の前記送信先情報の示す情報各々を用いて、前記端末の識別情報との組み合わせに関連付けられているパスワードを記憶するパスワード選択情報を参照し、登録済みの前記端末各々に割り振られているパスワードを選択し、前記画像情報の有する前記画像データと前記パスワードとを用いて暗号化し、
復号処理を行う場合、前記送受信部を介して前記第２の端末から取得した前記画像情報の前記送信先情報の示す情報各々を用いて、前記パスワード選択情報を参照し、登録済みの前記端末各々に割り振られているパスワードを選択し、前記暗号化された前記画像データと前記パスワードとを用いて復号する、
ことを特徴とする付記１５に記載の通信方法。
（付記１８）
前記パスワードを、前記通信回線を用いて前記通信装置に接続される複数の端末の組み合わせによりに異なるパスワードを割り振り、
暗号化処理を行う場合、前記第１の端末から取得した前記画像情報の前記送信元情報と前記送信先情報の示す情報各々を用いて、前記第１の端末の識別情報と前記第２の端末の識別情報との組み合わせに関連付けられているパスワードを記憶する暗号化パスワード選択情報を参照し、前記パスワードを選択し、前記画像情報の有する前記画像データと選択された前記パスワードとを用いて暗号化し、
復号処理を行う場合、前記第２の端末において、前記通信装置から送信された前記画像情報の前記送信元情報と前記送信先情報の示す情報各々を用いて、前記第１の端末の識別情報と前記第２の端末の識別情報との組み合わせに関連付けられているパスワードを記憶する復号パスワード選択情報を参照し、前記パスワードを選択し、前記第２の端末から送信された選択された前記パスワードと前記暗号化された画像データとを用いて復号する、
ことを特徴とする付記１５に記載の通信方法。
（付記１９）
前記パスワードを、前記通信回線を用いて前記通信装置に接続される前記第１の端末に固有のパスワードを割り振り、
暗号化処理を行う場合、前記画像情報と前記第１の端末に割り振られている前記パスワードとを前記第１の端末から取得し、前記画像情報の有する前記画像データと前記パスワードとを用いて暗号化し、
復号処理を行う場合、前記画像情報の暗号化された画像データと前記パスワードとを前記第２の端末から取得し、前記暗号化された画像データと前記パスワードとを用いて復号する、
ことを特徴とする付記１５に記載の通信方法。
（付記２０）
通信回線を用いて送信元の第１の端末または送信先の第２の端末との間で、送信元を識別する送信元情報と、送信先を識別する送信先情報と、画像データと、を有する画像情報を受信し、
受信した前記画像情報の送信先情報と送信元情報とを用いて、前記送信先情報と前記送信元情報の組み合わせと、前記画像データに対して行う暗号化処理または復号処理とが関連付けられている暗号化処理選択情報を参照し、受信した画像情報の画像データに対する処理を選択し、
前記暗号化処理が選択された場合は、前記画像データを暗号化し、前記暗号化された画像データを用いて前記第２の端末に送信する画像情報を生成し、
前記復号処理が選択された場合は、前記暗号化された画像データを復号し、前記復号した画像データを用いて、前記第２の端末に送信する画像情報を生成する、
処理をコンピュータに実行させる通信プログラム。
（付記２１）
前記暗号化処理選択情報に、前記送信先情報と前記送信元情報の組み合わせと、前記画像データに対して前記暗号化処理または前記復号処理をしないことを示す処理なしと、を関連付けて記憶し、
前記処理なしが選択された場合は、前記暗号化された画像データと、前記送信元情報を通信装置を示す情報に変更した送信元情報と、前記送信先情報を送信先である第２の端末を示す情報に変更した送信先情報と、受信した画像データを用いて、前記第２の端末に送信する画像情報を生成する、
処理を前記コンピュータに実行させることを特徴とする付記２０に記載の通信プログラム。
（付記２２）
暗号化処理が選択された場合は、暗号化された画像データと前記送信元情報と前記送信先情報とを用いて、前記第２の端末に送信する画像情報を生成し、
復号処理が選択された場合は、復号した画像データと、前記送信元情報を復号された画像であることを示す情報に変更した送信元情報と、前記送信先情報を送信先である第２の端末を示す情報に変更した送信先情報とを用いて、前記第２の端末に送信する画像情報を生成する、
処理を前記コンピュータに実行させることを特徴とする付記２０または２１に記載の通信プログラム。
（付記２３）
前記送信元情報に登録済みの端末が示されている場合、前記画像データを用いて前記暗号化処理を行い、暗号化された画像データを有する画像情報を送信先である第２の端末に送信し、
前記暗号化された画像データと前記送信元情報と前記送信先情報とを有する画像情報を受信し、受信した前記画像情報の前記送信元情報が前記通信装置以外を示す情報である場合、前記通信装置に送信し、
前記第２の端末から受信した画像情報の、前記暗号化された画像データと、前記送信元情報に前記第２の端末が示されている情報と、前記送信先情報に前記通信装置が示されている情報と、を受信し、
前記画像情報の前記送信元情報に示される端末が登録済みで、前記送信先情報に通信装置が示されている場合は、復号処理を選択し、前記暗号化された画像データを復号し、
復号した前記画像データと、前記通信装置を示す情報に変更した前記送信元情報と、前記第２の端末を示す情報に変更した前記送信先情報と、を有する画像情報を、前記第２の端末に送信する、
処理を前記コンピュータに実行させることを特徴とする付記２０〜２２のいずれか１つに記載の通信プログラム。
（付記２４）
前記送信元情報に登録済みの端末が示されている場合、前記画像データとパスワードを用いて暗号化処理を行い、暗号化された画像データを有する画像情報を送信先である第２の端末に送信し、
前記画像情報の前記送信元情報に示される端末が登録済みで、前記送信先情報に通信装置が示されている場合は、復号処理を選択し、前記パスワードを用いて前記暗号化された画像データを復号し、
処理を前記コンピュータに実行させることを特徴とする付記２３に記載の通信プログラム。
（付記２５）
前記第２の端末から受信した前記画像情報の前記送信元情報に示される端末が未登録で、前記送信先情報に通信装置が示されている場合、復号処理をしないことを選択し、
前記通信装置を示す情報に変更した前記送信元情報と、送信先である前記第２の端末を示す情報に変更した前記送信先情報と、前記暗号化された画像データと、を有する前記画像情報を、前記第２の端末に送信する、
処理を前記コンピュータに実行させることを特徴とする付記２３に記載の通信プログラム。
（付記２６）
前記パスワードは、前記通信回線を用いて前記通信装置に接続される登録済みの前記端末すべてにおいて、共通のパスワードであることを特徴とする付記２４に記載の通信プログラム。
（付記２７）
前記パスワードを、前記通信回線を用いて前記通信装置に接続される登録済みの端末各々に異なるパスワードを割り振り、
暗号化処理を行う場合、前記第１の端末から取得した前記画像情報の前記送信先情報の示す情報各々を用いて、前記端末の識別情報との組み合わせに関連付けられているパスワードを記憶するパスワード選択情報を参照し、登録済みの前記端末各々に割り振られているパスワードを選択し、前記画像情報の有する前記画像データと前記パスワードとを用いて暗号化し、
復号処理を行う場合、前記送受信部を介して前記第２の端末から取得した前記画像情報の前記送信先情報の示す情報各々を用いて、前記パスワード選択情報を参照し、登録済みの前記端末各々に割り振られているパスワードを選択し、前記暗号化された前記画像データと前記パスワードとを用いて復号する、
処理を前記コンピュータに実行させることを特徴とする付記２４に記載の通信プログラム。
（付記２８）
前記パスワードを、前記通信回線を用いて前記通信装置に接続される複数の端末の組み合わせによりに異なるパスワードを割り振り、
暗号化処理を行う場合、前記第１の端末から取得した前記画像情報の前記送信元情報と前記送信先情報の示す情報各々を用いて、前記第１の端末の識別情報と前記第２の端末の識別情報との組み合わせに関連付けられているパスワードを記憶する暗号化パスワード選択情報を参照し、前記パスワードを選択し、前記画像情報の有する前記画像データと選択された前記パスワードとを用いて暗号化し、
復号処理を行う場合、前記第２の端末において、前記通信装置から送信された前記画像情報の前記送信元情報と前記送信先情報の示す情報各々を用いて、前記第１の端末の識別情報と前記第２の端末の識別情報との組み合わせに関連付けられているパスワードを記憶する復号パスワード選択情報を参照し、前記パスワードを選択し、前記第２の端末から送信された選択された前記パスワードと前記暗号化された画像データとを用いて復号する、
処理を前記コンピュータに実行させることを特徴とする付記２４に記載の通信プログラム。
（付記２９）
前記パスワードを、前記通信回線を用いて前記通信装置に接続される前記第１の端末に固有のパスワードを割り振り、
暗号化処理を行う場合、前記画像情報と前記第１の端末に割り振られている前記パスワードとを前記第１の端末から取得し、前記画像情報の有する前記画像データと前記パスワードとを用いて暗号化し、
復号処理を行う場合、前記画像情報の暗号化された画像データと前記パスワードとを前記第２の端末から取得し、前記暗号化された画像データと前記パスワードとを用いて復号する、
処理を前記コンピュータに実行させることを特徴とする付記２４に記載の通信プログラム。
【符号の説明】
【０２９７】
１  通信装置
２  端末
３  ネットワーク
５１  画像情報
５２  登録済端末情報
５３  暗号化処理選択情報
５４  端末処理選択情報
１１１  選択情報
１２１  暗号化処理選択情報
１２２  端末処理選択情報
１７１  選択情報
１９１  選択情報
２０１  制御部
２０２  記憶部
２０３  記録媒体読取装置
２０４  入出力インタフェース
２０５  通信インタフェース
２０６  バス
２０７  記録媒体
２０８  入出力部
３０１  送受信部
３０２  選択部
３０３  暗号化処理部
３０４  復号処理部
７０１  制御部
７０２  記憶部
７０３  記録媒体読取装置
７０４  入出力インタフェース
７０５  通信インタフェース
７０６  バス
７０７  記録媒体
７０８  入出力部
８０１  転送部
８０２  情報送受信部
８０３  入出力部
【図１】
2013098820.tif 000003
【図２】
2013098820.tif 000004
【図３】
2013098820.tif 000005
【図４】
2013098820.tif 000006
【図５】
2013098820.tif 000007
【図６】
2013098820.tif 000008
【図７】
2013098820.tif 000009
【図８】
2013098820.tif 000010
【図９】
2013098820.tif 000011
【図１０】
2013098820.tif 000012
【図１１】
2013098820.tif 000013
【図１２】
2013098820.tif 000014
【図１３】
2013098820.tif 000015
【図１４】
2013098820.tif 000016
【図１５】
2013098820.tif 000017
【図１６】
2013098820.tif 000018
【図１７】
2013098820.tif 000019
【図１８】
2013098820.tif 000020
【図１９】
2013098820.tif 000021
【図２０】
2013098820.tif 000022
【図２１】
2013098820.tif 000023
【図２２】
2013098820.tif 000024
【図２３】
2013098820.tif 000025
【図２４】
2013098820.tif 000026